(57)【要約】【解決手段】  装着装置（５０）は、クランプ装置（５０）、またはキー装置（６０）、またはそれら両方を含む。クランプ装置（５０）は、固定クランプ部材（５２）と可動クランプ部材（５４）とを含み、前記可動クランプ部材は固定クランプ部材（５２）に対して近づく方向および離れる方向に移動可能であり、固定クランプ部材（５２）の方向に付勢され、それらの間の取付けレール（２００）を挟み込む。キー装置（６０）は、相互交換可能なキー部材（６２）を採用し、前記キー部材（６２）は凹部（４２）に配置可能であり、異なる取付けレールに使用するための異なるキー形状部（６４）を有することができる。照明装置（１０）の回路構造（３００、３００´）は、異なる面にある第１および第２の回路部分（３１０、３３０）を含み、第１の回路部分（３１０）は装着面（４８）の形と一致する周縁形状を有し、第２の回路部分（３３０）は選択的に光源（３６０）に通電するためのスイッチ（１０６）を含む。【選択図】      図１
2008521171.tif 000002
【特許請求の範囲】
【請求項１】
取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部を前記取付けレールに装着するための当該照明装置ボディ部上の装着装置とを有し、この装着装置は、
前記照明装置ボディ部上の固定クランプ部材と、
前記固定クランプ部材と対向し、且つ当該固定クランプ部材に近づく方向および当該固定クランプ部材から離れる方向に移動自在である可動クランプ部材と、
前記可動クランプ部材および前記固定クランプ部材を連結することにより、当該可動クランプ部材を当該固定クランプ部材の方向に付勢し、且つ当該可動クランプ部材を当該固定クランプ部材に近づく方向および当該固定クランプ部材から離れる方向に移動させるクランプ手段とを有し、
前記装着装置により、前記取付けレールは前記固定クランプ部材と前記可動クランプ部材との間に締着されるものである
装着装置。
【請求項２】
請求項１記載の装着装置において、前記固定クランプ部材は前記照明装置ボディ部上で長手方向に配置された長部材を有し、前記可動クランプ部材は前記照明装置ボディ部に近接して長手方向に配置された長部材を有しており、この長部材は当該固定クランプ部材に対向し、且つ当該固定クランプ部材から間隔を置いて配置されているものである。
【請求項３】
請求項１記載の装着装置において、前記固定クランプ部材は貫通穴部を有し、前記可動クランプ部材は前記固定クランプ部材の貫通穴部と実質的に一直線上にあるネジ穴を有しており、前記クランプ手段は当該固定クランプ部材の貫通穴部内に配置され、当該可動クランプ部材のネジ穴と係合するネジ込み式端部を有する軸部と、当該固定クランプ部材と前記軸部のネジ込み式端部の反対側の端部との間にあり当該クランプ手段を付勢する付勢部材とを有するものである。
【請求項４】
請求項１記載の装着装置において、前記固定クランプ部材は貫通穴部を有し、前記クランプ手段は、当該固定クランプ部材の貫通穴部内に配置され、前記可動クランプ部材と係合する軸部と、当該固定クランプ部材と当該軸部との間に連結されて当該クランプ手段を付勢する付勢部材とを有するものである。
【請求項５】
請求項１記載の装着装置において、前記可動クランプ部材は、前記固定クランプ部材の方向に向って延出する１若しくはそれ以上の柱部を有し、前記照明装置ボディ部は、当該可動クランプ部材の柱部と一直線上にある１若しくはそれ以上の穴部を有し、この穴部は当該可動クランプ部材が前記固定クランプ部材に向って移動するとき当該可動クランプ部材の柱部を受容するものである。
【請求項６】
請求項１記載の装着装置において、前記照明装置ボディ部は、当該照明装置ボディ部上の前記固定クランプ部材と前記可動クランプ部材との間に位置する凹部を有しており、この照明装置ボディ部は、さらに、
前記照明装置ボディ部の凹部に着脱自在に配置されたキー部材を有し、このキー部材は、当該照明装置ボディ部が前記固定クランプ部材および前記可動クランプ部材により取付けレールに締着されるとき、当該取付けレールのキー形状部と係合するキー形状部を有するものである。
【請求項７】
前記光が異なるサイズおよび形状、そして前記キーイング部材のキーイング特徴を有する取付レールに装着可能である請求項６の取り付け方法は、一致するサイズおよび形状のキーイング特徴を有するための一組のキーイング部材からサイズおよび取付レールのキーイング特徴の形状まで選択される。
【請求項８】
請求項１記載の装着装置において、前記クランプ手段は、前記可動クランプ部材に対して遠位に位置し、且つ軸端部にある頭部を有するネジまたはピンを含み、前記軸部は前記固定クランプ部材を貫通して配置され、前記可動クランプ部材と係合するものである。
【請求項９】
請求項８記載の装着装置において、前記クランプ手段は、前記ネジまたはピンの頭部と前記固定クランプ部材との間に配置されるバネを含み、このバネは前記可動クランプ部材を当該固定クランプ部材の方向に付勢するものである。
【請求項１０】
目的を取付レール（成り立っている前記取り付け方法）に装着するための取り付け方法：
前記目的上の固定クランプ部材；
固定クランプ部材および可動閉筋を言われて対抗していて、前記固定クランプ部材から更なる可動クランプ部材；
そして、前記可動クランプ部材を連結している型締デバイスおよび前記固定クランプ部材の方の付勢前記可動クランプ部材用の、そして、可動前記可動部のための前記固定クランプ部材は加盟閉筋を固定する、そして、よりはるかに前記固定クランプ部材から。それによって、取付レールは前記固定クランプ部材および前記可動クランプ部材の間に固定されることができる。
【請求項１１】
前記固定クランプ部材が前記目的上の細長い縦部材から成る、そして、前記可動クランプ部材が前記固定クランプ部材に対抗していて、そこから離れて間隔を置かれる細長い会員配置された長手方向に隣接する前記目的から成る請求項１０の取り付け方法。
【請求項１２】
前記固定クランプ部材がそれによってホールを有する、そして、前記可動クランプ部材が実質的にねじ穴をその中で有する請求項１０の取り付け方法は、前記付勢前記型締デバイスのためにそのねじ込型の反対側に、前記固定クランプ部材および軸の端との間に前記固定クランプ部材、前記固定クランプ部材によるホールに配置されている軸から成る、そして、前記可動クランプ部材のねじ穴を係合しているねじ込型を有する前記型締デバイスおよびバイアス部材によるホールによって整列配置した。
【請求項１３】
前記固定クランプ部材がそれによってホールを有する請求項１０の取り付け方法、前記固定クランプ部材および係合前記可動クランプ部材によるホールに配置されている軸から成る前記型締デバイスおよびバイアス部材は、前記付勢前記型締デバイス用の前記固定クランプ部材および前記軸との間に連結した。
【請求項１４】
前記可動クランプ部材が前記固定クランプ部材（可動クランプ部材が前記固定クランプ部材へ移動するときに、前記目的が前記可動クランプ部材のポストを受けるために整列配置される一つ以上のホールを有する）の方へ方向においてそこから伸びている一つ以上のポストを備えている請求項１０の取り付け方法。
【請求項１５】
前記目的が前記固定クランプ部材および前記可動クランプ部材との間に凹所をその中で有する請求項１０の取り付け方法は、更に以下から成る：
キーイング部材は、目的が、前記固定クランプ部材および前記可動クランプ部材によって、取付レールに固定されるときに、取付レールのキーイング特徴を係合するキーイング機能を有する前記オブジェクト、前記キーイング部材の凹所において、着脱自在に配置した。
【請求項１６】
前記目的が異なるサイズおよび形状、そして前記キーイング部材のキーイング特徴を有する取付レールに装着可能である請求項１５の取り付け方法は、一致するサイズおよび形状のキーイング特徴を有するための一組のキーイング部材からサイズおよび取付レールのキーイング特徴の形状まで選択される。
【請求項１７】
前記型締デバイスがネジを含む請求項１０または先頭の遠位の前記可動クランプ部材を有するピンの、そして、軸（軸が前記固定クランプ部材によって取り除かれて、前記可動クランプ部材を係合する）の先の取り付け方法。
【請求項１８】
前記型締デバイスがばねを含む請求項１７の取り付け方法は、前記固定クランプ部材の方へ前記ネジまたはピンの先端および前記付勢前記可動クランプ部材用の前記固定クランプ部材との間に配置した。
【請求項１９】
前記目的が光源を含んでいる軽いボディから成る光、電気エネルギーおよび選択的に光源を連結するためのスイッチ源および光を生じるための回路の電気エネルギー源である請求項１０の取り付け方法。
【請求項２０】
取付レールに装着可能な照明のための取り付け方法は、以下から成る：
光源を含んでいる軽いボディ、電気エネルギーおよび選択的に光源を連結するためのスイッチ源および光を生じるための回路の電気エネルギー源；
前記軽いボディをパチンとはまる、パチンと開く方法（成り立っている前記取り付け方法）の取付レールに載置するための前記軽いボディ上の取り付け方法：
前記軽いボディ上の固定クランプ部材；
固定クランプ部材および可動閉筋を言われて対抗していて、前記固定クランプ部材から更なる可動クランプ部材；
そして、前記可動クランプ部材を連結している型締デバイスおよび前記可動部をバイアスするための前記固定クランプ部材は前記固定クランプ部材の方へ部材を固定する。そこにおいて、前記可動クランプ部材は前記可動クランプ部材に印加される力の下で前記固定クランプ部材から離れて移動可能で、前記型締デバイスのバイアスによって前記固定クランプ部材の方へ移動可能である。それによって、取付レールはパチンとはまる、パチンと開く方法の前記固定クランプ部材および前記可動クランプ部材の間に固定されることができる。
【請求項２１】
そこにおいて、前記型締デバイスが含む請求項２０の取り付け方法：
前記固定クランプ部材から間隔をおいて配置される前記可動クランプ部材を動かすための力を受信するためのヘッド；
または前記固定クランプ部材の方へ前記可動クランプ部材をバイアスするためのばね；
または前記固定クランプ部材および前記固定クランプ部材の方へ前記可動クランプ部材をバイアスするためのばねから間隔をおいて配置される前記可動クランプ部材を動かすための力を受信するためのヘッド。
【請求項２２】
前記型締デバイスがネジを含む請求項２０または先頭の遠位の前記可動クランプ部材を有するピンの、そして、軸（軸が前記固定クランプ部材によって取り除かれて、前記可動クランプ部材を係合する）の先の取り付け方法。
【請求項２３】
前記型締デバイスがばねを含む請求項２２の取り付け方法は、前記固定クランプ部材の方へ前記ネジまたはピンの先端および前記付勢前記可動クランプ部材用の前記固定クランプ部材との間に配置した。
【請求項２４】
前記固定クランプ部材がそれによってホールを有する請求項２０の取り付け方法、前記固定クランプ部材および係合前記可動クランプ部材によるホールに配置されている軸から成る前記型締デバイスおよびバイアス部材は、前記付勢前記型締デバイス用の前記固定クランプ部材および前記軸との間に連結した。
【請求項２５】
前記可動クランプ部材が前記固定クランプ部材（可動クランプ部材が前記固定クランプ部材へ移動するときに、前記軽いボディが前記可動クランプ部材のポストを受けるために整列配置される一つ以上のホールを有する）の方へ方向においてそこから伸びている一つ以上のポストを備えている請求項２０の取り付け方法。
【請求項２６】
請求項２０記載の装着装置において、前記固定クランプ部材は前記照明装置ボディ部上で長手方向に配置された細長いクランプ部材を有し、前記可動クランプ部材は前記照明装置ボディ部に近接して長手方向に配置された細長いクランプ部材を有しており、この細長いクランプ部材は当該固定クランプ部材に対向し、且つ当該固定クランプ部材から間隔を置いて配置されているものである。
【請求項２７】
請求項２６記載の装着装置において、前記長手方向に配置された細長い固定クランプ部材および前記長手方向に配置された細長い可動クランプ部材の１つまたは両方は長手方向に配置された細長い面取り縁端部を有し、スナップ式嵌合装着およびスナップ式装着解除を容易にするものである。
【請求項２８】
目的をパチンとはまる、パチンと開く方法（成り立っている前記取り付け方法）の取付レールに装着するための取り付け方法：
前記目的上の固定クランプ部材；
固定クランプ部材および可動閉筋を言われて対抗していて、前記固定クランプ部材から更なる可動クランプ部材；
そして、前記可動クランプ部材を連結している型締デバイスおよび前記可動部をバイアスするための前記固定クランプ部材は前記固定クランプ部材の方へ部材を固定する。そこにおいて、前記可動クランプ部材は前記可動クランプ部材に印加される力の下で前記固定請求項部材から離れて移動可能で、前記型締デバイスのバイアスによって前記固定クランプ部材の方へ移動可能である。それによって、取付レールはパチンとはまる、パチンと開く方法の前記固定クランプ部材および前記可動クランプ部材の間に固定されることができる。
【請求項２９】
そこにおいて、前記型締デバイスが含む請求項２８の取り付け方法：
前記固定クランプ部材から間隔をおいて配置される前記可動クランプ部材を動かすための力を受信するためのヘッド；
または前記固定クランプ部材の方へ前記可動クランプ部材をバイアスするためのばね；
または前記固定クランプ部材および前記固定クランプ部材の方へ前記可動クランプ部材をバイアスするためのばねから間隔をおいて配置される前記可動クランプ部材を動かすための力を受信するためのヘッド。
【請求項３０】
前記型締デバイスがネジを含む請求項２８または先頭の遠位の前記可動クランプ部材を有するピンの、そして、軸（軸が前記固定クランプ部材によって取り除かれて、前記可動クランプ部材を係合する）の先の取り付け方法。
【請求項３１】
前記型締デバイスがばねを含む請求項３０の取り付け方法は、前記固定クランプ部材の方へ前記ネジまたはピンの先端および前記付勢前記可動クランプ部材用の前記固定クランプ部材との間に配置した。
【請求項３２】
前記固定クランプ部材がそれによってホールを有する請求項２８の取り付け方法、前記固定クランプ部材および係合前記可動クランプ部材によるホールに配置されている軸から成る前記型締デバイスおよびバイアス部材は、前記付勢前記型締デバイス用の前記固定クランプ部材および前記軸との間に連結した。
【請求項３３】
前記可動クランプ部材が前記固定クランプ部材（可動クランプ部材が前記固定クランプ部材へ移動するときに、前記目的が前記可動クランプ部材のポストを受けるために整列配置される一つ以上のホールを有する）の方へ方向においてそこから伸びている一つ以上のポストを備えている請求項２８の取り付け方法。
【請求項３４】
請求項２８記載の装着装置において、前記固定クランプ部材は前記物体上で長手方向に配置された細長いクランプ部材を有し、前記可動クランプ部材は前記物体に近接して長手方向に配置された細長いクランプ部材を有しており、この細長いクランプ部材は当該固定クランプ部材に対向し、且つ当該固定クランプ部材から間隔を置いて配置されているものである。
【請求項３５】
請求項３４記載の装着装置において、前記長手方向に配置された細長い固定クランプ部材および前記長手方向に配置された細長い可動クランプ部材の１つまたは両方は長手方向に配置された細長い面取り縁端部を有し、スナップ式嵌合装着およびスナップ式装着解除を容易にするものである。
【請求項３６】
取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部をキー形状部を有する前記取付けレールに装着するための当該照明装置ボディ部上の装着装置とを有し、この装着装置は、
前記照明装置上の第１および第２のクランプ部材であって、接近する方向に移動して前記取付けレールを締着し、且つ離れる方向に移動して前記取付けレールを解除することが可能であり、それにより前記取付けレールは当該第１および第２のクランプ部材の間で締着されるものである、前記第１および第２のクランプ部材と、
前記照明装置ボディ部上の前記第１および第２のクランプ部材の間に位置する凹部を有する前記照明装置ボディ部と、
前記照明装置ボディ部の凹部に着脱自在に配置され、当該照明装置ボディ部が前記第１および第２のクランプ部材により前記取付けレールに締着されるとき、当該取付けレールのキー形状部と係合するキー形状部を有するキー部材と
を有する装着装置。
【請求項３７】
請求項３６記載の装着装置において、前記照明装置は異なるサイズおよび形状のキー形状部を有する取付けレールに装着自在であり、前記キー部材は、当該取付けレールの前記キー形状部のサイズおよび形状と一致するサイズおよび形状のキー形状部を有する１セットのキー部材から選択されるものである。
【請求項３８】
請求項３６記載の装着装置において、前記照明装置ボディ部の凹部は略長方形であり、前記前記キー部材は当該照明装置ボディ部の凹部の所定位置に嵌合するキーボディ部と、当該キーボディ部上にあるキー形状部とを有するものである。
【請求項３９】
請求項３８記載の装着装置において、前記キーボディ部は、前記照明装置ボディ部を貫通する固定手段により当該照明装置ボディ部の凹部の所定位置に着脱自在に保持されているものである。
【請求項４０】
前記主な特長が前記キーボディから伸びている突起を含む請求項３８の取り付け方法。
【請求項４１】
請求項３６記載の装着装置において、前記第１のクランプ部材は前記照明装置ボディ部上で長手方向に固定された細長いクランプ部材を有し、前記第２のクランプ部材は前記照明装置ボディ部に近接して長手方向に且つ移動自在に配置された細長いクランプ部材を有しており、この細長いクランプ部材は当該固定クランプ部材に対向し、且つ当該固定クランプ部材から間隔を置いて配置されているものである。
【請求項４２】
請求項４１記載の装着装置において、前記長手方向に配置された細長い固定クランプ部材および前記長手方向に配置された細長い可動クランプ部材の１つまたは両方は長手方向に配置された細長い面取り縁端部を有し、スナップ式嵌合装着およびスナップ式装着解除を容易にするものである。
【請求項４３】
目的をキーイング機能（成り立っている前記取り付け方法）を有する取付レールに装着するための取り付け方法：
第１および第２は一緒に取付レールを固定すること間のおよびよりはるかに取付レールを発表するために別々の前記オブジェクト可動閉筋上の部材を固定する。それによって、取付レールは前記第１および第２のクランプ部材の間に固定されることができる；
前記第１および第２のクランプ部材の間に前記目的に置かれる凹所を有する前記目的；
そして、キーイング部材は、目的が前記第１および第２のクランプ部材によって取付レールに固定されるときに、取付レールのキーイング特徴を係合するキーイング機能を有する前記オブジェクト、前記キーイング部材の凹所において、着脱自在に配置した。
【請求項４４】
前記目的が異なるサイズおよび形状、そして前記キーイング部材のキーイング特徴を有する取付レールに装着可能である請求項４３の取り付け方法は、一致するサイズおよび形状のキーイング特徴を有するための一組のキーイング部材からサイズおよび取付レールのキーイング特徴の形状まで選択される。
【請求項４５】
前記目的の凹所が通常、矩形である、そして、前記キーイング部材が予め定められた場所の前記目的の凹所に適合して、前記キーボディ上の主な特長を有するキーボディを備えている請求項４３の取り付け方法。
【請求項４６】
前記キーボディが前記目的による留め金具によって前記軽いボディの凹所の予定位置において着脱自在に保持される請求項４５の取り付け方法。
【請求項４７】
前記主な特長が前記キーボディから伸びている突起を含む請求項４５の取り付け方法。
【請求項４８】
請求項３６記載の装着装置において、前記第１のクランプ部材は前記物体上で長手方向に固定された細長いクランプ部材を有し、前記第２のクランプ部材は前記物体に近接して長手方向に且つ移動自在に配置された細長いクランプ部材を有しており、この細長いクランプ部材は当該固定クランプ部材に対向し、且つ当該固定クランプ部材から間隔を置いて配置されているものである。
【請求項４９】
請求項４８記載の装着装置において、前記長手方向に配置された細長い固定クランプ部材および前記長手方向に配置された細長い可動クランプ部材の１つまたは両方は長手方向に配置された細長い面取り縁端部を有し、スナップ式嵌合装着およびスナップ式装着解除を容易にするものである。
【請求項５０】
取付レールに装着可能な照明のための取り付け方法は、以下から成る：
光源を含んでいる軽いボディ、電気エネルギーおよび選択的に光源を連結するためのスイッチ源および光を生じるための回路の電気エネルギー源；
前記軽いボディをキーイング機能（成り立っている前記取り付け方法）を有する取付レールに載置するための前記軽いボディ上の取り付け方法：
前記軽いボディ上の固定クランプ部材；
固定クランプ部材および可動閉筋を言われて対抗していて、前記固定クランプ部材から更なる可動クランプ部材；
前記可動クランプ部材を連結している型締デバイスおよび前記固定クランプ部材の方の付勢前記可動クランプ部材用の、そして、可動前記可動部のための前記固定クランプ部材は加盟閉筋を固定する、そして、よりはるかに前記固定クランプ部材から。それによって、取付レールは前記固定クランプ部材および前記可動クランプ部材の間に固定されることができる；
前記固定クランプ部材および前記可動クランプ部材の間に前記軽いボディに置かれる凹所を有する前記軽いボディ；
そして、キーイング部材は、前記軽いボディ（軽いボディが前記固定および可動クランプ部材によって取付レールに固定されるときに、取付レールのキーイング特徴を係合するキーイング機能を有する前記キーイング部材）の凹所において、着脱自在に配置した。
【請求項５１】
前記固定クランプ部材が前記軽いボディ上の細長い縦部材から成る、そして、前記可動クランプ部材が前記固定クランプ部材に対抗していて、そこから離れて間隔を置かれる細長い会員配置された長手方向に隣接する前記軽いボディから成る請求項５０の取り付け方法。
【請求項５２】
前記固定クランプ部材がそれによってホールを有する請求項５０の取り付け方法、前記固定クランプ部材および係合前記可動クランプ部材によるホールに配置されている軸から成る前記型締デバイスおよびばねは、前記付勢前記型締デバイス用の前記固定クランプ部材および前記軸との間に連結した。
【請求項５３】
前記可動クランプ部材が前記固定クランプ部材（可動クランプ部材が前記固定クランプ部材へ移動するときに、前記軽いボディが前記可動クランプ部材のポストを受けるために整列配置される一つ以上のホールを有する）の方へ方向においてそこから伸びている一つ以上のポストを備えている請求項５０の取り付け方法。
【請求項５４】
前記光が異なるサイズおよび形状、そして前記キーイング部材のキーイング特徴を有する取付レールに装着可能である請求項５０の取り付け方法は、一致するサイズおよび形状のキーイング特徴を有するための一組のキーイング部材からサイズおよび取付レールのキーイング特徴の形状まで選択される。
【請求項５５】
目的をキーイング機能（成り立っている前記取り付け方法）を有する取付レールに装着するための取り付け方法：
前記目的上の固定クランプ部材；
固定クランプ部材および可動閉筋を言われて対抗していて、前記固定クランプ部材から更なる可動クランプ部材；
前記可動クランプ部材を連結している型締デバイスおよび前記固定クランプ部材の方の付勢前記可動クランプ部材用の、そして、可動前記可動部のための前記固定クランプ部材は加盟閉筋を固定する、そして、よりはるかに前記固定クランプ部材から。それによって、取付レールは前記固定クランプ部材および前記可動クランプ部材の間に固定されることができる；
前記固定クランプ部材および前記可動クランプ部材の間に前記目的に置かれる凹所を有する前記目的；
そして、キーイング部材は、目的が前記固定および可動クランプ部材によって取付レールに固定されるときに、取付レールのキーイング特徴を係合するキーイング機能を有する前記オブジェクト、前記キーイング部材の凹所において、着脱自在に配置した。
【請求項５６】
前記固定クランプ部材が前記目的上の細長い縦部材から成る、そして、前記可動クランプ部材が前記固定クランプ部材に対抗していて、そこから離れて間隔を置かれる細長い会員配置された長手方向に隣接する前記目的から成る請求項５５の取り付け方法。
【請求項５７】
前記固定クランプ部材がそれによってホールを有する請求項５５の取り付け方法、前記固定クランプ部材および係合前記可動クランプ部材によるホールに配置されている軸から成る前記型締デバイスおよびばねは、前記付勢前記型締デバイス用の前記固定クランプ部材および前記軸との間に連結した。
【請求項５８】
前記可動クランプ部材が前記固定クランプ部材（可動クランプ部材が前記固定クランプ部材へ移動するときに、前記目的が前記可動クランプ部材のポストを受けるために整列配置される一つ以上のホールを有する）の方へ方向においてそこから伸びている一つ以上のポストを備えている請求項５５の取り付け方法。
【請求項５９】
前記目的が取付けに装着可能である請求項５５の取り付け方法
レールが異なるサイズおよび形状のキーイング特徴を有して、そして、前記キーイング部材は、一致するサイズおよび形状のキーイング特徴を有するための一組のキーイング部材からサイズおよび取付レールのキーイング特徴の形状まで選択される。
【請求項６０】
光のための電気回路構成は、以下から成る：
少なくとも、第１および第２の実質的に平面回路部分は２つの異なる平面において、そして、その上にある電気伝導体、それが取り付けられるのに適している平面取付面の形状に対応する周縁形状を有する第１のプレーナ回路部、その周縁形状と関連して予め定められた場所において開口をその中で有している第１のプレーナ回路部を有する配置した。そこにおいて、開口は光源を受信するために構成される；
光源は、電気伝導体から電気エネルギーを受け取るための第１のプレーナ回路部の開口においてマウントした；
そして、スイッチは、選択的に電気エネルギーを選択的に前記光源に付勢するためにその上にある電気伝導体のうちの少なくとも１つに印加するための第２のプレーナ回路部に取付けられた。
【請求項６１】
請求項６０の電気回路構成は、更に以下から成る：
少なくとも３分の１実質的に平面回路部はその上に第３の異なる平面において、そして、電気伝導体を有する配置した、そして、レーザー光源は第３のプレーナ回路部に取付けられた。そこにおいて、第２のプレーナ回路部に載置されるスイッチは選択的に電気エネルギーを選択的に前記レーザー光源に付勢するためにその上にある電気伝導体のうちの少なくとも１つに印加するためにある。
【請求項６２】
その間で分離可能な電気的接続を提供するための第１および第２の部分の間に配置される分離可能な電気コネクタから更に成っている請求項６０の電気回路構成。
【発明の詳細な説明】
【技術分野】
【０００１】
本発明は、照明装置またはその他の物体用の装着自在な装着装置および照明装置用回路装置に関する。
【背景技術】
【０００２】
照明装置は、手で携帯したり物体に装着することができるものである。道具や器具など様々な物体に装着自在な照明装置であるので、前記道具や器具の作業端の作業域に光を向け照らすことができる。このような道具または器具には、通常、例えば製造業者、販売者、または使用者によって取り付けられた取付けレールが装着されている。照明装置を装着することができる１つの物体には小火器があり、例えば拳銃またはピストル、長銃またはライフル、ショットガン、または別のタイプの銃または武器など、それらの１若しくはそれ以上を総称して通常銃器と呼ばれる。銃器に装着自在な照明装置は、照明または照準のため、あるいはそれら両方のためのものであり得る。照明装置の照明は、通常、ゼノン充填またはハロゲン充填ランプ、または強力な発光ダイオード（ｌｉｇｈｔ−ｅｍｉｔｔｉｎｇ  ｄｉｏｄｅ：ＬＥＤ）光源などのランプが用いられる。照準のための照明装置は、通常、レーザーダイオードまたはその他のレーザー光源が用いられる。
【０００３】
通常の銃の場合、そのような照明装置を銃器に装着するための装置は、望遠照尺を銃器に装着する場合の装置と類似しているものである。ガンレールまたは取付けレールとも呼ばれる銃の取付台は、通常、照明装置が取り付けられた場所から前方の視界を得るために都合のよい場所に取り付けられる。通常、銃身の上部または上側表面に望遠照尺またはその他の照準器を装着するので、別個の取付台は銃身の側面または下側表面（底部）の、典型的には銃の銃口近くに取り付けられることが多い。
【０００４】
従来の銃器に装着自在な照明装置は、通常、銃器の取付台へスライドする、クリートを有するプラスチック製ボディ部と、前記照明装置がガンレールの望ましい位置へスライドすると銃器の取付台のスロットにスナップ式嵌合するバネが搭載されたクロスバーを有する。このバネが搭載されたクロスバーは、銃器の発砲時にガンレールに照明装置が固定されるのに十分な張力を提供するものであり、且つ、クロスバーの係合を解き照明装置を取り外す（すなわち前記ガンレールから滑出させる）ために操作可能な突出端部を有する。そのようなスライド式取付台は、通常、前記取付けレールにすべりばめが提供されないので、取り付けられた物が指し示す方向に偏差を導入する実施的な遊びが存在してしまう、そして、そのような遊びは一般的に望ましくないものである。
【０００５】
様々な形状、サイズ、および／または構成のガンレールが様々な銃製造業者により提供されており、それに加えて従来の銃器に装着自在な照明装置は、特定の銃器のまたは特定の製造業者製造のガンレールにのみ適切に装着され得る。その結果、銃器の所有者は、所有する種々の製造業者の銃に合う異なる照明装置を所有しなくてはならないことになる。更に、スライド式に銃器に装着する物は遊びなしに装着できず、照準タイプの装置に必要とされる繰り返し可能な方法での装着もできない。
【０００６】
また、従来の多くの銃器の装着は使用者が手で行う必要があり、前記銃器に装着自在な物を装着したり取り外したりする際使用者の手または手の一部が銃口の前に置かれる可能性があり、これにより意図せずしてこの小火器から弾丸が放たれた場合に使用者は負傷する危険にさらされる。
【発明の開示】
【発明が解決しようとする課題】
【０００７】
従って、異なるサイズ、形状、または構成の取付台に装着可能な装着装置および装着自在な照明装置が必要とされている。また、装着装置が容易で迅速に装着および脱着可能であること、装着位置が正確で再現可能であること、および装着および脱着が安全に実行可能であることが望まれている。
【課題を解決するための手段】
【０００８】
この目的を達成するために、装着装置は固定クランプ部材と、対向する可動クランプ部材と、前記可動クランプ部材を付勢および移動するためのクランプ手段とを有するものである。
【０００９】
別の観点によれば、装着装置は、物体を締着させるための第１および第２のクランプ部材と、取付台のキー形状部と係合するキー形状部を有するキー部材とを有する。
【００１０】
さらに、照明装置は、光源を含む照明装置ボディ部と、前述の複数の段落のいずれかに記述された装着装置とを含む。
【００１１】
さらに、照明装置用の回路構造は、異なる面にある第１および第２の回路部分を有し、、前記第１の回路部分は、近接して前記回路構造が搭載されるように取付面の形状に対応した周縁形状と、前記光源に選択的に通電するため前記第２の回路部分に搭載されたスイッチとを有する。
【発明を実施するための最良の形態】
【００１２】
図１は本明細書に記載の装着自在な照明装置１０の等角図であり、図２Ａおよび２Ｂはその組み立て分解等角図であり、図３〜５は照明装置１０の別の外観を示す図である。照明装置１０については、概して図１〜５を参照しながら説明する。説明する特徴が図１〜５の１つ以上の図面で明確でない場合、若しくは特定の図面においてより明らかな場合には、特定の図面を参照するようにしてください。
【００１３】
照明装置１０は、当該照明装置１０が作動すると光が発せられる前端またはヘッドエンド１２と、このヘッドエンド１２の反対側に位置する後端またはテールエンド１４を有する。テールエンド１４は、照明装置１０の光源の動作を制御するための例えば様々なスイッチおよび制御３２、１０６を含む。さらに、照明装置１０は装着面１６を有し、この装着面１６に対して例えば銃の取付けレール２００のような取付けレール（前記取付けレールの１例については図９を参照して説明する）に照明装置１０が様々な配置方法で装着される。照明装置１０のヘッドエンド１２とテールエンド１４間の方向を、本明細書では「長手方向」と呼び、この方向に対し垂直な方向を「横方向」と呼ぶ。従って、光は、長手方向（または軸方向）に沿って照明装置１０のヘッドエンド１２から発される。
【００１４】
照明装置１０の照明装置ボディ部４０は、その主構造部材であり、様々な構造的特徴、様々な機構に適応する開口部および凹部、および電気部品および電気回路を提供し、照明装置１０を構成する。
【００１５】
照明装置１０は、照明装置ボディ部４０の装着面１６に配置されるクランプ装置５０およびキー装置６０によって、例えば銃の取付けレール２００のような取付けレールに装着および固定される。具体的には、長手方向の固定クランプ部材５２を照明装置ボディ部４０から外側に延ばすことによって表面５２ａを提供し、前記表面５２ａによってサイドレール２０６を支えることができる。固定クランプ部材５２の反対側に、固定クランプ部材５２に対して近づく方向および離れる方向に移動可能な可動クランプ部材５４がある。固定クランプ部材５２および可動クランプ部材５４の間には空洞または空間４１があり、前記空間に取付けレールを配置し、前記取付けレールをクランプ部材５２、５４等によって、例えば５２の面５２ａおよび５４の面５４ａを係合することによって係合する。空洞４１をレールガイド空洞と呼ぶ場合もある。
【００１６】
具体的には、可動クランプ部材５４は、（弓形両側矢印が示す）クランプネジ５６の回転に対応する照明装置ボディ部４０の凹部またはチャネル４３（直線両側矢印が示す）で横方向に移動する。クランプネジ５６は、固定クランプ部材５２を貫通する穴部４４、および照明装置ボディ部４０の隆起部分にある、前記穴部４４と共軸の穴部４５を貫通し、可動クランプ部材５４にあるネジ穴５５を貫通し、前記可動クランプ部材５４と係合する。右手ネジで、クランプネジ５６を時計回りに回転させることにより、可動クランプ部材５４が固定クランプ部材５２の方向に横方向に移動し、取付けレールを当該クランプの間で係合させ、締着する。クランプネジ５６を逆時計回りに回転させることにより、可動クランプ部材５４を固定クランプ部材５２から離れる方向に移動させ、当該クランプの間にある取付けレールを解除する。クランプネジ５６は左手ネジを有する場合もあり、この場合は前記回転方向は逆になる。
【００１７】
波形バネ５８を、好ましくはネジ５６にも照明装置ボディ部４０にも接触しないように、クランプネジ５６の軸部に配置する。バネ５８はネジ５６の軸部沿いに、および座ぐり４４ｂの中で、自由に動く。波形バネ５８が可動クランプ部材５４で前記クランプ領域を付勢することにより、照明装置１０を側部から取付けレールに「スナップ式嵌合装着する」ことができ、次にネジ５６を照明装置１０の側部から装着することができる。ネジ５６の頭部を押してネジ５６を照明装置ボディ部４０の方へ動かすことによって可動クランプ部材５４を固定クランプ部材５２から引き離すことによって、バネ５８が提供する付勢を克服することができ、取付けレールへの照明装置１０のスナップ式嵌合を支援することができる。
【００１８】
装着照明装置１０のスナップ式着脱を可能にするために、固定クランプ部材５２は端に沿って斜角面５２ｃを有し、この斜角面５２ｃが取付けレール２００に接触することによって、取付けレール２００に対する前記固定クランプ部材５２の動きを容易にすることができる。または、可動クランプ部材５４の端に沿って類似の斜角面を設けること、または固定クランプ部材５２および可動クランプ部材５４の両方のそれぞれ対応する端に沿って斜角面を設けることができる。
【００１９】
好ましくは、穴部４４に波形バネ５８を受け入れる座ぐりを設けることによって、クランプ部材５２をクランプ部材５４に向けて付勢すると同時に、ネジ５６の頭部を穴部４４の座ぐりの底部に完全に置かずに、クランプネジ５６が回転に抵抗するのを助ける。ただし、ネジ５６を完全に座ぐりに置くことが望ましい場合はそうすることができる好ましくは、穴部４４には二重の座ぐりがあり、直径がより小さくより深い方の座ぐり４４ｂは波形バネ５８を受け入れるのに十分な直径であり、直径がより大きくより浅い方の座ぐり４４ａはクランプネジ５６の頭部を受け入れるのに十分な直径である。好ましくは、より大きい直径の座ぐり４４ａより深い、より小さい直径の座ぐり４４ｂの深さを、波形ネジ５８を完全に圧縮したときの長さより大きくすることにより、クランプネジ５６の頭部を、前記穴部４４のより大きい直径の座ぐり４４ａの底部に形成される肩部分と接触するまで挿入することができる。従って、クランプネジ５６を、可動クランプ部材５４が固定クランプ部材５２に向けて付勢されるまで挿入すること、若しくは、クランプネジ５６をさらに先まで挿入し、クランプネジ５６と両方のクランプ部材５２、５４との間をしっかり接触させることができる。
【００２０】
選択的に、しかし好ましくは、可動クランプ部材５４は、それ自身から照明装置ボディ部４０および固定クランプ部材５２に向かって延出する１若しくはそれ以上の柱部５４ｐを有することができ、前記柱部が照明装置ボディ部４０の１若しくはそれ以上の対応する穴部４５ｐの中まで入り込むことにより、照明装置ボディ部４０に対してクランプ部材５４を好ましい整合に維持することができる。柱部５４ｐは、例えば、可動クランプ部材５４が固定クランプ部材５２に向かって近づく／から離れるように横方向に移動するとき、あるいはクランプネジ５６が押されたときまたは解除されたとき、あるいはクランプネジ５６が回転するときなどに、可動クランプ部材５４の整合が維持されるように助ける。
【００２１】
図１が図示する照明装置１０の配置では、前記照明装置が「装着される」位置にあるときに右側（使用者が前記照明装置を自身から離れる方向に向けた場合の右側）にクランプネジ５６を有するので、右手を使って武器の下側面にある取付けレールに照明装置１０を装着するのに便利である。照明装置１０は、照明装置ボディ部４０に対してクランプ装置５０をちょうど逆にした「鏡に映ったような」配置を有することができ、この場合、固定クランプ部材５２およびクランプネジ５６は前記照明装置ボディ部の左側（図示されているのと反対側）に置かれるので、左手を使って武器の下側の取付けレールに照明装置１０を装着するのに便利である。そのようにクランプ装置５０を鏡に映ったような配置にする場合、クランプ部材５２、５４、およびクランプネジ５６は図で照明装置ボディ部に描かれているのと反対側に位置する。照明装置１０の使用者または状況によっては、前記照明装置１０を物体の下側または上側に装着する場合があり、任意の照明装置１０を右手または左手のどちらで利用する場合もあるので、照明装置１０のこれらの配置は両方とも望ましい。
【００２２】
このようにすることによって、照明装置１０を既知の固定された繰り返し装着可能な位置に正確に固定することができ、このことは、例えば照明装置１０がレーザー１１０のように照準照明装置である若しくは照準照明装置を含むものである場合に重要である。また、クランプネジ５６が完全に先まで挿入されず、従って圧縮された波形バネ５８の力によって可動クランプ部材５４が取付けレール２００に押し付けられる場合に、可動クランプ部材５４が十分に外側に移動し、取付けレール２００から照明装置１０を解除することができるので、照明装置１０の容易なスナップ式着脱が可能となる。クランプネジ５６の好ましい実施形態において、前記ネジの頭部は、ネジ５６を締め付けおよび緩めるために使うことができる、コインまたはネジ回しが入るサイズのスロット、および手指で締め付けおよび緩めるために使うことができる２つの突起部分を含む。
【００２３】
クランプネジ５６（または適切な固定代替物）を適切な位置に調整することにより、よりきつく締め付けることが望まれない限り、クランプネジを調整せずに可動クランプ部材５４をバネ５８の付勢に対して移動し、照明装置１０をスナップ式着脱することが可能となる。銃器取付けレールにスナップ式に嵌合するときのクランプ装置５０の締め付け動作は、特定の銃の照準および発砲試験で十分な結果を得ているが、強力な武器の場合はより固く装着するためにクランプネジ５６を締め付けることが望ましい場合がある。従って、ネジ５６の代わりに固定ピンまたは固定ネジを用いて押しボタンを使用者に提供し、現在のクランプネジ５６の頭部が提供するのと同じ着脱工程を提供することができる。クランプ装置５０のある照明装置１０を、「鏡に映るような配置でない配置」および「鏡に映るような配置」の両方で持つことにより、上側および下側への装着および右利きおよび左利きの使用者による装着を容易に行うことができる。
【００２４】
装着装置５０は、前記照明装置１０または物体がスナップ式に着脱されるか、あるいはクランプネジ５６が押しボタン式か回転式かに関わらず、照明装置１０または装着装置５０を利用する別の物体を武器（または道具、器具、またはその他の物体）の側部から着脱することを可能にするものである。前記使用者は片手で、武器の砲口の前に自分の体のどの部分も置く必要なく着脱を行うことができるので、これは安全上有利な特徴である。
【００２５】
クランプ装置５０は、横方向および長手方向の動きの両方に対して照明装置１０を固定することができる。強力な小火器の発砲のときに生じるような、例えば極端な機械的かく乱または力などによって生じる長手方向の動きに対する付加的な抵抗を提供することも可能である。キー装置６０は、取付けレール沿いの照明装置１０の長手方向の動きに抵抗するために提供される。キー装置６０は、照明装置ボディ部４０のキー凹部４２に着脱可能な方法で配置されるキー部材６２を含む。好ましくは、キー部材６２は、適切な位置および適切な許容範囲でキー凹部４２を受け入れることができる、前記キー部材６２と類似したサイズと形状を持つボディ部６３を含む。キー部材６２は、キーボディ部６３から延出するキー形状部６４を有し、キー形状部６４は、照明装置１０を装着する取付けレールにある対応するキー形状部を係合するためのサイズ、形状、および位置である。
【００２６】
照明装置１０が装着される様々な銃、道具、およびその他の物体の取付けレールは異なる構成である場合があるので、照明装置１０を装着する取付けレールのキー形状部と一致するサイズ、形状、および位置のキー形状部を有するキー部材６２を選択する。従って、数多くの異なるキー部材６２を利用できるようにすることにより、照明装置１０は異なる構成の取付けレールに装着可能となる。キーボディ部６３およびキー凹部４２のサイズおよび形状を予め定め、標準化することが好ましく、そのような場合、キー部材６２は、相互交換および交換可能である。そのようなキー部材６２を個別、セット、または個別およびセットで市販し、照明装置と共に付属品またはオプションとして提供することができる。
【００２７】
キー部材６２は、照明装置ボディ部４０の穴部４６を通して配置され、キー部材６２のネジ穴６６にネジ止めされるキーネジ６８でキー凹部４２に固定される。キー部材６２は、キーネジ６８を取り外してキー部材６２をキー凹部４２から取り外すことによって取り外すことができ、交換用キー部材６２は、そのキーボディ部６３をキー凹部４２に置き、キーネジ６８を穴部４６、さらにネジ穴６６へと通し、キーネジ６８を締め付けることによって設置される。好ましくは、キーネジ６８は、キー部材６２を係合するよう照明装置ボディ部４０を通して横方向に配置される。
【００２８】
照明装置ボディ部４０のキー凹部４２の位置が予め定められていることにより、照明装置１０に対するキー部材６２の位置、特に固定クランプ部材５２および可動クランプ部材５４に対するキー部材６２の位置は予め定められているので、キー部材６２がキー凹部４２に配置されるときにキー部材６４の位置も予め定められる。従って、キー部材６４の長さおよび幅、キー部材ボディ部６３の上に出るキー部材６４の高さ、およびキーボディ部６３上のキー部材６４の位置を正しく定めることによって、キー部材６２を特定の取付けレール構成に合わせて適応することが可能である。
【００２９】
取付けレール構成には様々な既知のサイズおよび構成があるので、取付けレールの各構成に係合するように適切に構成されたキー部材６２が提供される。例えば、横方向のスロットまたは溝２０８を有する取付けレール２００（図９）に照明装置１０を装着する場合、図面に示すような突出した全体に横長の長方形のキー部材６４がよい。キー部材６４の形状は、前記取付けレールのキー形状部と係合するキー部材６４（例えば、取付けレール２００のスロット２０８の両側と係合するキー部材６４の平行な対向する面）が適切なサイズと間隔である限り、それほど重要ではないだろう。例えば、キースロット２０８が取付けレール２００の全幅に延びる場合、それに対応するキー部材６４の長さはスロット２０８よりも実質的に短くてよい。キー部材６４の形状は、取付けレールのキー形状部の形状に従ったまたは長方形、正方形、円筒形、円形、またはその面が少なくとも有効であるその他の任意の形状が可能である。
【００３０】
その結果、照明装置１０を既知の固定された、長手方向および横方向の両方において繰り返し装着可能な位置に正確に固定することができ、このことは、例えば照明装置１０がレーザー１１０のように照準照明装置である若しくは照準照明装置を含むものである場合に重要である。
【００３１】
照明装置１０のヘッドエンド２０は、照明装置１０のヘッドエンド１２にあり、照明装置１０が発する光線を提供する工程に関係する様々な要素を含む。例えば、図８を参照し、ヘッドエンド２０はヘッドエンドボディ部２２およびそこにネジ止めされるフェースキャップ２４を含む。フェースキャップ２４内のレンズ２６は、例えば照明装置１０が装着された銃を発砲したときに受けるような衝撃を吸収する弾性ガスケット２７で保護されている。
【００３２】
反射装置２８はヘッドエンドのボディ部２２にネジ止めされており、光を生成する光源２６０に通電したときに光源３６０が生成する光の形を調整し、焦点を合わせる。反射装置２８は後方端に開口部２９を有し、光源２６０は前記開口部内に続く。反射装置２８とヘッドエンドのボディ部２２の間のネジ止めされた接触面を、例えばＯリング２５のようなシールまたはガスケットで密封し、湿気や望ましくない物質が入るのを防ぐことができる。フェースキャップ２４とレンズ２６の間の接触面も、衝撃吸収ガスケットを使い類似した方法で密封される。
【００３３】
カバー３０は、照明装置１０および照明装置ボディ部４０の後端にあり、照明装置ボディ部４０の電池コンパートメント４９の開口部を覆う。図６、７、および８が示すように、カバー３０から、電池１４９が配置されている照明装置ボディ部４０内の電池空洞すなわちコンパートメント４９へのアクセスが得られる。電池１４９は照明装置１０の光源３６０および／またはレーザー１１０を動作するための電気を供給する。電池１４９が正しい極性でのみ接続されるよう、電池の陽極および陰極を受け入れる接触部は凸部と凹部を含む。
【００３４】
カバー３０は、ボディ部４０の対向する２つの共軸穴部を貫通するヒンジピン３７にヒンジで設置されるヒンジ付きラッチ３６で照明装置ボディ部４０に取り付けられる。ラッチ３６は、カバー３０の隆起部分を照明装置ボディ部４０にスナップ式に着脱（固定および取り外し）する。照明装置ボディ部４０の内部への水分の浸入を防ぐよう、カバー３０はラッチ３６の動作によって圧縮され、ガスケット３１により密封される。
【００３５】
図の実施例が示すように、カバー３０は、照明装置１０の光源の作動装置のスイッチ切り替え機能を果たすスイッチ作動装置３２を含む。スイッチ作動装置３２は後方に延出する２つのパドル３４を有し、使用者はこのパドルを押すことによってスイッチ作動装置３２を照明装置１０の縦軸を中心に時計回りまたは逆時計回りに回転させ、照明装置１０を作動および停止することができる。通常、銃に装着される照明装置１０の配向に関わらず、パドル３４のうち１つは左利きの使用者にとって、もう一方のパドルは右利きの使用者にとって使い易いようになっている。作動装置３２は図８が示すようにネジ３３で設置され、ネジ３３を中心に軸回転可能である。
【００３６】
レーザーハウジング１００は照明装置ボディ部４０に配置され、通常はネジ１０２によって固定される。ハウジング１００とボディ部４０間のガスケット１０８は水分およびその他の望ましくない物質が入り込むのを防ぐ役割を果たす。図８から認められるように、レーザーカートリッジ１１０はレーザー源１１２と、レーザー灯１１４と、レーザーレンズ１１６とを含み、レーザー光線をヘッドエンド２０からの照明装置と同じ方向に長手方向に照射する。レーザーカートリッジ１１０は、絶縁ゴム１０８を挟みカラー１０４でレーザーハウジング１００に設置される。レーザーハウジング１００の後部に置かれるモード選択スイッチ１０６の便利な切り替えハンドルを用い、使用者は例えばレーザー専用モード、照明装置専用照明モード、レーザー・照明両用モード、およびレーザーも照明も使わないオフモードなど、様々なモードを選択することができる。
【００３７】
レーザー１１０は、レーザー１１０を含む照明装置１０を装着した小火器の照準を助けるので、レーザーカートリッジ１１２のアライメントまたはボアサイティングを、前記小火器の発砲線に相関させることが望ましい。このために、高度調整用照準設定ネジ１２２およびウィンデージ調整用照準設定ネジ１２４を提供する。ハウジング１００内のレーザーカートリッジ１１０の位置は、装着装置５０によって照明装置１０が設置された小火器のボアサイティングのための照準調整ネジ１２２、１２４によって調整可能である。
【００３８】
具体的には、図６が示すように全体に右上にレーザーカートリッジ１１０をバネ１２０でハウジング１００に押し付けると、バネ１２０が与える付勢に照準調整ネジ１２２、１２４が反作用する。バネ１２０は図面が示すような板バネ１２０、コイルバネ、円錐バネ、または希望に応じその他の任意のバネであってもよい。レーザーカートリッジ１１０の前端はハウジング１００の円形フランジを係合する弾力性またはゴムのガスケット１０８で支えられ、レーザーカートリッジ１１０の肩とカラー１０４との間で圧縮されるので、レーザーカートリッジの後端を高度調整ネジ１２２およびウィンデージ調整ネジ１２４で移動することができる。絶縁ゴム１０８は弾力性があるので、高度調整ネジおよびウィンデージ調整ネジ１２２、１２４の前進および後退によってレーザーカートリッジをレーザーハウジング１００に対して移動することができる。
【００３９】
言及すべき点として、レーザーハウジング１００およびレーザーカートリッジ１１０は削除可能な選択的特徴であり、その場合は照明装置ボディ部４０のレーザーハウジング１００の代わりにカバーを使う。ヘッドエンド２０、カバー３０、照明装置ボディ部４０、およびレーザーハウジング１００は、例えばナイロン、プラスチック、航空機グレードのアルミニウムのような金属など、同一または異なる材料で作成することができ、ネジ３３、５６、６８、１０２など各種ネジはスチールまたはその他の適切な材料で作成することができる。ボディ部４０および／またはハウジング１００をナイロンまたはプラスチックで作成する場合は、前記ネジを差し込むために前記ボディ部またはハウジングに空けられた穴部に金属製挿入物を差し込むことによって、剥離作用に対する前記様々な穴部の抵抗力を増すことができる。レンズ２６はポリカーボネートのようなプラスチックまたはガラス製である。好ましい実施例において、光源３６０は米国カリフォルニア州Ｓａｎ  Ｊｏｓｅ所在のＬｕｍｉｌｅｄｓ  Ｌｉｇｈｔｉｎｇ  ＬＬＣが市販する３ワットの「Ｌｕｘｅｏｎ（登録商標）」発光ダイオードであり、レーザーカートリッジ１１０には米国ニュージャージー州Ａｌｌｅｎｄａｌｅ所在のＳａｎｙｏ  Ｓｅｍｉｃｏｎｄｕｃｔｏｒ  Ｃｏｒｐｏｒａｔｉｏｎが市販する可視または赤外線レーザーを使うことができ、照明装置１０の電源にはリチウム電池１４９を使うことができる。
【００４０】
図９は、図１〜５の装着自在な照明装置１０の実施例を装着自在な、先行技術による取付けレール２００の例を示す等角図である。異なる構成のその他の取付けレールを提供することも可能であり、異なるサイズ、形状、および／または装着装置も可能であり、いわゆるＰｉｃｃａｔｉｎｎｙレール構成のような特定の「標準」取付けレールがすでに「標準」とされているようではあるが、１つの「標準」あるいは前記のいわゆる「標準」とは異なるサイズおよび／または許容範囲の別の標準を満たすと言われている取付けレールは数多くある。
【００４１】
実施例の取付けレール２００は、レール２００が￥銃、器具、またはその他の物体に装着されたときに晒される「上部」表面２０２を有し、このとき、その「底部」表面２０４は前記銃、器具、またはその他の物体に接触する部分である。表面２０６は、取付けレール２００の対向する長手方向の側面であり、前記レール２００に沿って従来の照明装置のような物体が装着され、前記物体を例えば図の両端矢印が示す長手方向に滑入および滑出すること、または上から締め付けることができる。レール２００に接するキー部材６０が滑入を妨げるので、本発明の機構の照明装置１０をレール２００に滑入することはできない。結果的に、レール２００のテールエンド以外の場所から照明装置１０をレール２００に装着することになり、使用者の手が武器の砲口の前に置かれる可能性があるため、前記キー装置６０には、例えば前記キー装置６４が取付けレール２００のスロット２０８を係合するようにするなどして、使用者が照明装置１０を取付けレール２００の側部から装着するように導く安全機構が提供される。
【００４２】
取付けレール２００は物体が取り付けられるキー形状部２０８を有し、当該キー形状部材は前記物体がレール２００上にスライド若しくは装着されると、長手方向の位置に確実に保持されるように鍵を掛けるまたはラッチする。通常、キー形状部２０８の形状はスロットである。例えば、照明装置である前記物体がスライド式に取り付けられるタイプのものである場合、前記物体は取付けレール２００のスロット２０８から前記物体を取り外すためのボタンまたはその他の解除機構を有する。
【００４３】
例えば異なる製造業者および異なるタイプの銃など、異なる小火器に提供される取付けレール２００は、異なるサイズおよび形状である場合が多く、前記レール２０４およびキー形状部２０８についても同じことが言える。特定の標準装着構成に従った取付けレール２００でさえ、有意なサイズおよび許容範囲の差異を有する場合がある。具体的には、異なる取付けレール２００のキー形状部２０８を異なるサイズおよび異なる形状にすることが可能であり、取付けレール２００の異なる場所に配置することが可能である。結果的に、本明細書に記載の照明装置によって対処される問題の説明で前述したように、異なる銃およびそれに類する物に装着するための異なる照明装置および／または異なる装着装置が必要である。
【００４４】
図１０は、図１〜５の装着自在な照明装置１０の実施例に有用な電気回路基板装置３００の１実施例の等角図である。回路基板装置３００は、第１の面である形状部分３１０と、第２の面である延長部分３２０と、前記部分３１０にほぼ平行な面である第３の部分３３０と、前記部分３２０にほぼ平行な面である第４の部分３４０と、前記部分３３０にほぼ平行な面である第５の部分３５０とを含む。回路部分３２０および３４０には主に様々な導電体３０２があり、部分３１０、３３０、３５０にも、光源３６０およびレーザー１１０の動作のために提供される様々な電気部品および要素がある。そのような回路部品および要素は、当業者には既知の方法で回路構造３００にハンダ付け若しくは接続されている。
【００４５】
回路部分３１０の周縁形状は予め定められた形状であり、図では「Ｄ」の形状であるが、この形状が回路部分３１０を配置する照明装置ボディ部４０の装着面４８の形状と一致する形状であることによって、前記回路部分３１０は照明装置ボディ部４０およびヘッドエンド２０に対して予め定められた位置で配置される。例えば発光ダイオード（ｌｉｇｈｔ−ｅｍｉｔｔｉｎｇ  ｄｉｏｄｅ：ＬＥＤ）である光源３６０は回路部分３１０の開口部３１２を通して回路部分３１０のほぼ中央に配置され、従って、例えばＬＥＤ３６０からの熱を取り除くために、ＬＥＤ３６０のベースを照明装置ボディ部４０の装着面４８で支える若しくはそれに付着することができる。図８から分かるように、この配置ではＬＥＤ３６０は照明装置ボディ部４０の装着面４８に、反射装置２８のほぼ真後ろに置かれるので、ＬＥＤ３６０は開口部２９を通って反射装置２８まで延び、実質的に反射装置２８と共軸となり、反射装置２８が焦点を合わせ反射する光を提供する。
【００４６】
ＬＥＤ３６０および反射装置２８は図の実施例でほぼ中央に位置するが、装着面４８および回路部分３１０をその他の場所に置くことおよびその他の予め定められた周縁形状にしてもよい。ＬＥＤ３６０が強力ＬＥＤである場合、照明装置ボディ部４０はアルミニウムまたはその他の熱伝導性材料が好ましく、ＬＥＤ３６０を装着面４８に、例えば熱伝導性グリースまたは熱伝導性エポキシのような熱伝導性材料で連結することができる。ＬＥＤ３６０の動作に関係する様々な電気部品を、図のように回路部分３６０に装着することができる。
【００４７】
通常、回路部分３１０には、スイッチ３２の動作に反応して電池１４９から選択的に通電するための穴部が開いている。通常、照明装置ボディ部４０の開口部を通して伝導性ピン、電線、またはバネを電池１４９から前方へ延ばし、回路構造３００の回路部分３１０の穴部３１４に通してハンダ付けなどによって機械的に固定する。電線またはピン３１６は、照明装置１０を装着した小火器の発砲時に生成される機械エネルギーの一部を吸収する形状であればよく、全体に直線状、湾曲状、蛇行状、またはループ状とすることができる。
【００４８】
回路部分３３０には切り替えスイッチ１０６が接続されている。切り替えスイッチは、照明装置１０の動作の様々なモードから選択するために、例えば３ポイントスイッチとすることができる。前記モードとして可能なモードは、例えば、レーザー１１０のみ動作可能、光源３６０のみ動作可能、およびレーザー１１０および光源３６０の両方動作可能である。選択されたモードの動作は、本明細書で説明するオン・オフ切り替えスイッチ３０で制御する。オン・オフ切り替えスイッチ３０を使い、例えば選択されたモードで連続動作すること、選択されたモードで短時間動作すること、および電源を切る（オフにする）ことができる。
【００４９】
回路部分３５０は、レーザー１１０を有し、これは通常、レーザー光を提供するために前記回路部分に接続される部品を含むレーザーカートリッジ１１０である。図８が最もよく図示するように、レーザーカートリッジ１１０は、ヘッドエンド２０からの照明装置と同じ方向にレーザー光線を長手方向に照射するためのレーザー光源１１２と、レーザー灯１１４と、レーザーレンズ１１６とを内部に有する。
【００５０】
回路構造３００の全部または一部を、例えばポリイミド製のフレキシブルプリント回路基盤材料で作成することができる。回路部分３１０を用いて正しくＬＥＤ３６０を配置した場合、部分３１０は、材料のタイプを選択する（例えばＦＲ−４またはガラスエポキシ材料のようなもの）か、前記材料の厚みを選択するか、あるいは通常は予め定められた回路部分３１０の周縁形状を有する硬化材料を提供することによって、好ましくは比較的フレキシブルでないか若しくは比較的硬い材料とする。
【００５１】
図１１は、図１〜５の装着自在な照明装置１０の実施例と共に有用に用いることができる実施例の回路基板装置３００´の等角図である。回路基板装置３００´は装置３００とは異なり、分離可能な電気接続部３７０を採用しているので、回路基板装置３００´の部分３１０、３２０ａを前記回路板の３２０ｂ、３３０、３４０、３５０から分離することができる。分離可能な接続部３７０は２〜３（例えば３）の分離可能な電気接続を提供する必要があり、この電気接続はピンとソケットの組み合わせまたは導電体３０２の１つにある対応する接触域によって提供することができる。
【００５２】
分離可能な接続部３７０を、適宜希望に応じて、図のように回路部分３２０沿いの位置、若しくは回路部分３３０上の位置、若しくは回路分岐部分３２０および３３０の近くで回路構造３００´が分離可能となるように位置づけることができる。図のように、分離可能な接続部３７０は３７２および３７４に２分割されており、そのうち１つはプラグでありもう一方はソケットである。２分割された各々の部分は、１若しくはそれ以上のピンおよび／またはソケットが中に入っているプラスチック製のボディ部を有することができ、２分割された部分３７２、３７４は従来の電気接続部構造を有するものである。
【００５３】
例えば、回路構造３００の回路部分３２０を重なり合う２つの部分３２０ａおよび３２０ｂに分離し、分離可能な接続部３７０を提供することができ、回路部分３２０ａに照明装置ボディ部３１０にある回路部分３１０を関連付け、回路部分３２０ｂをレーザーハウジング１００内の回路部分３３０〜３５０に関連付けることができる。部分３２０ａおよび３２０ｂは重なり合うので、それらはハウジング１００を照明装置ボディ部４０に装着したときに重なり合い、導電体３０２では、レーザーハウジング１００を照明装置ボディ部４０に取り付けたときに、レーザーハウジング１００に配置される回路基板装置３００´の部分３３０〜３５０が重なり合い照明装置ボディ部４０内に配置される前記部分３１０〜３２０´と接触したときに物理的に接触する。従って、回路部分３２０ａ、３２０ｂの各導電体３０２の前記物理的接触の協動作用によって、分離可能な接続部３７０が提供される。適切な被覆と支持を、少なくとも重なり合う部分に提供することによって、部分３２０ａおよび３２０ｂの導電体３０２の間に十分信頼できる電気接続を提供することが可能である。
【００５４】
この装置３００´が与える利点は、前記レーザーハウジング１００およびその内容物を使用者が照明装置ボディ部４０に容易に着脱できる点であり、従って、レーザー１１０を含むレーザーハウジング１００を設置することによって、レーザー１１０を含まない照明装置１０の修理またはアップグレードが可能となることである。照明装置１０がレーザー１１０を含まない場合、レーザーハウジング１００の場所および形状のカバーまたは別の便利な形状のカバーを、レーザーハウジング１００の代わりに照明装置ボディ部４０に装着することが好ましい。
【００５５】
取付けレール２００に装着自在な照明装置１０は、光を生成するための回路において、光源３６０と、電気エネルギー源１４９と、前記光源３６０を前記電気エネルギー源１４９に選択的に連結するためのスイッチ３２、１０６とを有する。前記照明装置ボディ部４０の装着装置５０は、取付けレール２００に前記照明装置ボディ部４０を装着するためのものであり、前記照明装置ボディ部４０上の固定クランプ部材５２と、前記固定クランプ部材５２に対向しており前記固定クランプ部材５２に近づく方向および離れる方向に移動可能な可動クランプ部材５４と、前記可動クランプ部材５４と前記固定クランプ部材５２を連結させて前記可動クランプ部材５４を前記固定クランプ部材５２に付勢するためおよび前記可動クランプ部材５４を前記固定クランプ部材５２に近づけたり／から離したりするためのクランプ手段５６、５８とを有し、それにより、取付けレール２００を前記固定クランプ部材５２と前記可動クランプ部材５４との間で締着することができる。
【００５６】
取付けレール２００に物体を装着するための装着装置５０は、前記物体上の固定クランプ部材５２と、前記固定クランプ部材５２に対向しており前記固定クランプ部材５２に近づく方向および離れる方向に移動可能な可動クランプ部材５４と、前記可動クランプ部材５４と前記固定クランプ部材５２を連結させて前記可動クランプ部材５４を前記固定クランプ部材５２に付勢するためおよび前記可動クランプ部材５４を前記固定クランプ部材５２に近づけたり／から離したりするためのクランプ手段５６、５８とを有し、それにより、取付けレール２００を前記固定クランプ部材５４と前記可動クランプ部材５４との間で締め付けることができる。
【００５７】
取付けレール２００に装着自在な照明装置１０は、光を生成する回路において、光源３６０と、電気エネルギー源１４９と、前記光源３６０を前記電気エネルギー源１４９に選択的に連結するためのスイッチ３２、１０６とを有する。前記照明装置ボディ部４０上の装着装置５０は、キー形状部２０８を有する前記照明装置ボディ部４０を取付けレール２００に装着するためのものである。前記装着装置５０は、第１および第２のクランプ部材５２、５４を前記照明装置ボディ部４０上に有するものであり、この第１および第２のクランプ部材は、接近する方向に移動することによって取付けレール２００を締着し、離れる方向に移動することによって当該取付けレール２００を解除することができ、これにより当該取付けレール２００は当該第１および第２のクランプ部材５２、５４の間で締着される。前記照明装置ボディ部４０は当該照明装置ボディ部４０の前記第１および第２のクランプ部材５２、５４の間にある凹部４２と、当該照明装置ボディ部４０の凹部４２に着脱自在に配置されたキー部材６０とを有するものであり、前記キー部材６０は、当該照明装置ボディ部４０が当該第１および第２のクランプ部材５２、５４によって前記取付けレール２００に締着されたときに前記取付けレール２００のキー形状部２０８と係合するキー形状部６４を有する。
【００５８】
キー形状部２０８を有する取付けレール２００に物体を装着するための装着装置５０、６０は、前記物体上に第１および第２のクランプ部材５２、５４を有し、この第１および第２のクランプ部材５２、５４は、接近する方向に移動することによって取付けレール２００を締着し、互いに離れる方向に移動することによって当該取付けレール２００を解除することができ、これにより、取付けレール２００を前記第１および第２のクランプ部材５２、５４の間に締着することができる。前記物体は前記物体の前記第１および第２のクランプ部材５２、５４の間にある凹部４２と、前記物体の凹部４２に着脱自在に配置されたキー部材６０とを有するものであり、前記キー部材６０は、前記物体が前記第１および第２のクランプ部材５２、５４によって前記取付けレール２００に締着されたときに前記取付けレール２００のキー形状部２０８と係合するキー形状部６４を有する。
【００５９】
取付けレール２００に装着自在な照明装置１０は、光を生成する回路において、光源３６０を含む照明装置ボディ部４０と、電気エネルギー源１４９と、前記光源３６０と前記電気エネルギー源１４９を選択的に連結するためのスイッチ３２とを有する。キー形状部２０８を有する取付けレール２００に前記照明装置ボディ部を装着するための、前記照明装置ボディ部４０の装着装置５０、６０は、前記照明装置ボディ部４０上の固定クランプ部材５２と、前記固定クランプ部材５２に対向しており前記固定クランプ部材５２に近づく方向および離れる方向に移動可能な可動クランプ部材５４と、前記可動クランプ部材５４と前記固定クランプ部材５２を連結させて前記可動クランプ部材５４を前記固定クランプ部材５２に近づけたり／から離したり移動可能なクランプ手段５６、５８とを有し、それにより取付けレール２００を前記固定クランプ部材５２と前記可動クランプ部材５４との間に締着することができる。前記照明装置ボディ部４０は前記照明装置ボディ部４０の前記固定のクランプ部材５２と前記可動クランプ部材５４との間にある凹部４２と、前記照明装置ボディ部４０の凹部４２に装着自在に配置されたキー部材６０とを有するものであり、前記キー部材６０は、前記照明装置ボディ部４０が前記固定クランプ部材５２および可動クランプ部材５４によって前記取付けレール２００に締着されたときに前記取付けレール２００のキー形状部２０８を係合するキー形状部６４を有する。
【００６０】
前記照明装置１０は、異なるサイズおよび形状のキー形状部を有する取付けレール２００に装着自在であって、キー部材６０は、前記取付けレール２００のキー形状部２０８のサイズおよび形状に一致するサイズおよび形状のキー形状部６４を有する１セットのキー部材から選択される。
【００６１】
照明装置１０は、予め定められた周縁形状を有する装着面４８を含む照明装置ボディ部４０と、前記照明装置ボディ部４０の装着面４８の近くに配置される光源３６０を受け入れるよう適応される開口部２９を有する反射装置２８とを含む。電気回路構造３００、３００´は、少なくとも、前記装着面４８と前記反射装置２８の間で前記装着面４８に隣接して配置される、前記装着面４８の予め定められた周縁形状に対応する周縁形状を有する部分３１０を有し、前記電気回路構造の部分３１０には、前記反射装置２８の開口部２９に対向する、光源３６０を受け入れるように適応される開口部３１２がある。光源３６０は前記電気回路構造３００、３００´の開口部３１２に、前記装着面４８に隣接して配置されており、前記電気回路構造３００、３００´を介して行われる通電に反応して光を生成するものであり、前記光源３６０は前記反射装置２８の開口部２９に延びて光を生成する。
【００６２】
前記照明装置１０において、前記反射装置２８は前記反射装置の開口部２９を通る光軸を有し、前記光源３６０が有する光軸を中心に光が生成され、前記反射装置２８の光軸および前記光源３６０は、前記装着面４８に隣接する前記回路構造３００、３００´の開口部３１２に前記光源３６０を配置したときに実質的に共軸となり、前記反射装置２８の開口部２９の中へと延びる。
【００６３】
照明装置１０のための電気回路構造３００、３００´は、少なくとも第１および第２の実質的に平面の回路部分３１０〜３５０を有し、前記第１および第２の実質的に平面の回路部分３１０〜３５０は異なる面に配置され、それぞれの上に導電体３０２を有する。前記第１の平面の回路部分３１０は、前記第１の平面の回路部分３１０を隣接させて装着する平面装着面４８の形と一致する周縁形状を有し、その周縁形状に対して予め定められた位置に開口部３１２を有するものであり、前記開口部３１２は光源３６０を受け入れるように適応される。光源３６０を前記第１の平面の回路部分３１０の開口部３１２に取り付けることにより前記導電体３１６からの通電を受け、スイッチ３２、１０６を前記第２の平面の回路部分３１０、３３０に装着することにより前記回路部分上の導電体３０２の少なくとも１つに選択的に通電し、前記光源３６０に選択的に通電する。
【００６４】
前記電気回路構造３００、３００´は、さらに、導電体３０２を有する、第３の異なる平面に配置される第３の実質的に平面の回路部分３５０と、前記第３の平面の回路部分３５０に取り付けられるレーザー光源１１０とを有するものであり、前記スイッチ１０６を前記第２の平面回路部分３３０に取り付けることにより前記回路部分の少なくとも１つの導電体に選択的に通電し、前記レーザー光源１１０に選択的に通電する。
【００６５】
前記電気回路構造３００、３００´は、さらに、前記第１および第２の部分３１０、３２０、３２０ａ、３２０ｂ、３３０の間に置かれる分離可能な電気接続部３７０、３７２、３７４を有することにより、それらの間に分離可能な電気接続を提供する。
【００６６】
本明細書で使用する用語「約（ａｂｏｕｔ）」は、次元、サイズ、配合、パラメータ、形状、およびその他の量および性質が正確なものではなく、且つ正確である必要がなく、許容範囲、換算率、切り捨てまたは切り上げ、測定誤差、および当業者には既知のその他の因子を反映する概数および／または希望に応じそれ以上またはそれ以下のものであってよいことを意味する。一般に、次元、サイズ、配合、パラメータ、形状、およびその他の量または性質は、「約（ａｂｏｕｔ）」または「およそ（ａｐｐｒｏｘｉｍａｔｅ）」といった表現が用いられているかどうかに関わらず、「約（ａｂｏｕｔ）」または「およそ（ａｐｐｒｏｘｉｍａｔｅ）」のものである。
【００６７】
本発明について前述の実施例を用いて説明してきたが、本請求項が定める本発明の範囲および意図の範囲内でのバリエーションは当業者には明確であろう。例えば、前述の実施例のクランプ手段は本明細書でクランプネジ５６として記載されているが、その他のクランプ手段を採用することもできる。その一例はオフセットローブを有するレバーであり、このローブ付きレバーを係合するにつれ、穴部４４を通して可動クランプ部材５４に取り付けた棒が引かれ、締め付けられる。そのようなレバーは可動部材５４の穴部を螺合する場合もそうでない場合もある。また、付勢バネ５８が波形バネである必要はなく、希望に応じて例えば螺旋バネまたはその他の、適切な付勢を提供するバネでもよい。
【００６８】
凹状キー形状部を有する取付けレールに係合するためのものとして、凸状キー形状部を有するキー部材について説明したが、前記キー形状部は、取付けレールの凸状キー形状部に対応する凹状キー形状部を有してもよく、あるいは、前記キー部材は、取付けレールにある凸状および凹状キー形状部に対応する凹状および凸状キー形状部の双方を有してもよい。同様に、キー部材６２は、キー部材６２のボディ部６３を受容する、照明装置ボディ部４０にある凹部４２の代わりに、照明装置ボディ部４０から突出する凸部に嵌合する凹部を有することができる。
【００６９】
別個のキー部材６２を採用しない場合、クランプ手段５６を、固定クランプ部材５２と可動クランプ部材５４の間の空洞４１に横方向に配置して取付けレールを受け入れることができ、それにより、クランプ手段５６の軸部またはシャフトは取付けレールにある横方向スロットに係合するキー形状部としての役割を果たすことができる。
【００７０】
さらに、具体例に応じて適宜、回路構造３００、３００´を単一の回路板とすること、若しくは複数の回路板のアセンブリとすることができる。そのような場合、回路部分３１０を比較的硬い回路板材料で作り、回路部分３２０〜３５０を比較的フレキシブルな回路板材料で作ることができる。あるいは、回路構造３００、３００´を回路板と電気リボンケーブルのアセンブリとしてもよい。
【００７１】
回路板３００をフレキシブルまたは曲げられる電子基材で作る場合、その回路部分３１０を、予め定められた周縁形状の硬いスペーサに接着し、装着面４８および反射装置２８に対して部分３１０を位置づけることができる。
【００７２】
選択的に、例えば絶縁材３０８のような絶縁スペーサを、回路板３００、３００´の１若しくはそれ以上の部分と照明装置ボディ部４０との間、例えば図８が示すように回路部分３１０と装着面４８の間に置くことによって、回路構造３００、３００´を、アルミニウムまたはその他の導電材製である場合のあるボディ部４０から絶縁することができる（ただし、ボディ部４０はナイロン、プラスチック、またはその他の絶縁材製である場合もある）。通常、絶縁材３０８は回路板部分３１０および装着面４８と全体に同じ形であり、例えば「Ｄ」形状である。
【００７３】
本明細書に記載の前記照明装置および装着装置について、銃器および銃器に装着自在な照明装置として説明したが、前述の装着装置を照明装置以外の取付け物および／または銃またはその他の小火器以外の物への取付け物に利用することができる。本明細書で言う銃とは、拳銃またはピストル、長銃またはライフル、ショットガン、あるいは別のタイプの銃または武器など、任意の小火器を指す。また、本明細書に記載の前記照明装置および装着装置は、武器またはその他の器具の上部、底部、あるいは側部に配置することができる。
【００７４】
「照明装置」という用語は、従来の白熱光またはその他のランプ、特別のランプ、レーザー源、またはＬＥＤやレーザーダイオードのようなソリッドステート光源であるかどうかに関わらず、また、電源として前記照明装置内部または外部にある１若しくはそれ以上の電池を含むかどうか、あるいは任意の場所の固定または可動電源に接続された電線またはケーブルを含むかどうかに関わらず、任意のタイプ且つ任意の源からの照明を生成または提供する任意の装置を含むものとみなされる。
【００７５】
キーネジ６８、ハウジングネジ１０２、照準設定ネジ１２２、１２４など本明細書に含まれる様々なネジは、通常、アレンヘッドのネジまたはトルクスヘッドのネジであるが、希望に応じ、フィリップスヘッド、フラットブレードヘッド、またはその他のタイプのネジである場合がある。しかし、クランプネジ５６は、希望に応じ道具を用いてもよいが道具を必要とせずに、手指またはコインまたは何らかの常備されている物を用いて回転できるタイプのものであることが好ましい。クランプネジ５６、キーネジ６８、またはそれら両方は、ネジ、ボルト、ピン、またはその他の適切な締め付け具でよい。
【００７６】
さらに、スイッチ３２を含むカバー３０の代わりに、カバーと、電線またはケーブルで接続された遠隔操作可能なスイッチとを適宜用いることができ、これは、長銃、ライフル、またはショットガンに照明装置１０を利用し、照明装置１０を銃口の端の近くで取付けレール２００に装着し、前記スイッチが引き金またはその他の操作者の手の位置の近くに置かれる場合に望ましい場合がある。さらに、取付けレール２００は任意の適切な装置でよく、武器または器具への装着のために武器提供者または第三者によって提供される場合、および／または武器または器具の一部として、その一体化した部分あるいは付属品として提供される場合がある。
【００７７】
「ＬＩＧＨＴ  ＭＯＵＮＴＡＢＬＥ  ＯＮ  Ａ  ＭＯＵＮＴＩＮＧ  ＲＡＩＬ」と題するＲａｙｍｏｎｄ  Ｌ．Ｓｈａｒｒａｈらにより２００４年１１月１５日に出願された米国特許仮出願第６０／６２７，８６０号および「ＬＩＧＨＴ  ＭＯＵＮＴＡＢＬＥ  ＯＮ  Ａ  ＭＯＵＮＴＩＮＧ  ＲＡＩＬ」と題するＲａｙｍｏｎｄ  Ｌ．Ｓｈａｒｒａｈらにより２００５年１１月８日に出願された米国特許出願第１１／２６８，７８７号明細書の全文は、この参照により本明細書に組み込まれる。
【図面の簡単な説明】
【００７８】
好ましい実施形態の詳細な説明は、以下の図面と共に読むことによって、より容易に且つよりよく理解されるであろう。
【図１】図１は、本明細書で説明する装着自在な照明装置の１実施形態の等角図である。
【図２Ａ】図２Ａおよび２Ｂを含む図２は、図１の装着自在な照明装置の実施例の組み立て分解等角図である。
【図２Ｂ】図２Ａおよび２Ｂを含む図２は、図１の装着自在な照明装置の実施例の組み立て分解等角図である。
【図３】図３は、図１、２Ａ、および２Ｂの装着自在な照明装置の実施例の側面図である。
【図４】図４は、図１〜３の装着自在な照明装置の実施例の図であり、光を生成する端部を示す。
【図５】図５は、図１〜４の装着自在な照明装置の実施例の図であり、前記照明装置の装着装置を示す。
【図６】図６は、図１〜５の装着自在な照明装置の実施例のセクション６−６における断面図である。
【図７】図７は、図１〜５の実施例の装着自在な照明装置のセクション７−７における断面図である。
【図８】図８は、図１〜５の実施例の装着自在な照明装置のセクション８−８における断面図である。
【図９】図９は、図１〜５の装着自在な照明装置の実施例を装着自在な、先行技術による取付けレールの例を示す等角図である。
【図１０】図１０は、図１〜５の装着自在な照明装置の実施例と共に用いると有用な電気配線板配置の１実施例の等角図である。
【図１１】図１１は、図１〜５の装着自在な照明装置の実施例に有用な電気配線板配置の１実施例の等角図である。  図面中、１つの要素または特徴が複数の図面に図示されている場合、各図面においてそのような要素または特徴を指定するのに同一の英数字の記号表示が用いられており、密接に関連する要素または変更要素が１つの図面の中に図示されている場合、同一の英数字の記号表示にダッシュ記号（´）または「ａ」、「ｂ」などを付すことによって、それが変更要素または特徴であることを示す。注意すべき点は、一般的慣行として、図面の様々な特徴は正確な縮尺で描かれたものではなく、当該様々な特徴のサイズは、明確に描出するために任意に拡大または縮小されているものである。
【図１】
2008521171.tif 000003
【図２Ａ】
2008521171.tif 000004
【図２Ｂ】
2008521171.tif 000005
【図３】
2008521171.tif 000006
【図４】
2008521171.tif 000007
【図５】
2008521171.tif 000008
【図６】
2008521171.tif 000009
【図７】
2008521171.tif 000010
【図８】
2008521171.tif 000011
【図９】
2008521171.tif 000012
【図１０】
2008521171.tif 000013
【図１１】
2008521171.tif 000014
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部を前記取付けレールに装着するための当該照明装置ボディ部上の装着装置とを有し、この装着装置は、
前記照明装置ボディ部上の固定クランプ部材と、
前記固定クランプ部材と対向し、且つ当該固定クランプ部材に近づく方向および当該固定クランプ部材から離れる方向に移動自在である可動クランプ部材と、
前記可動クランプ部材および前記固定クランプ部材を連結することにより、当該可動クランプ部材を付勢して当該固定クランプ部材の方向に移動させ、且つ当該可動クランプ部材を当該固定クランプ部材に近づく方向および当該固定クランプ部材から離れる方向に移動させるクランプ手段とを有し、
前記装着装置により、前記取付けレールは前記固定クランプ部材と前記可動クランプ部材との間に締着されるものである
装着装置。
【請求項２】
請求項１記載の装着装置において、前記固定クランプ部材は前記照明装置ボディ部上で長手方向に配置された長部材を有し、前記可動クランプ部材は前記照明装置ボディ部に近接して長手方向に配置された長部材を有しており、この長部材は当該固定クランプ部材に対向し、且つ当該固定クランプ部材から間隔を置いて配置されているものである。
【請求項３】
請求項１または２記載の装着装置において、前記固定クランプ部材は貫通穴部を有し、前記可動クランプ部材は前記固定クランプ部材の貫通穴部と実質的に一直線上にあるネジ穴を有しており、前記クランプ手段は当該固定クランプ部材の貫通穴部内に配置され、当該可動クランプ部材のネジ穴と係合するネジ込み式端部を有する軸部と、当該固定クランプ部材と前記軸部のネジ込み式端部の反対側の端部との間にあり当該クランプ手段を付勢する付勢部材とを有するものである。
【請求項４】
請求項１または２記載の装着装置において、前記固定クランプ部材は貫通穴部を有し、前記クランプ手段は、当該固定クランプ部材の貫通穴部内に配置され、前記可動クランプ部材と係合する軸部と、当該固定クランプ部材と当該軸部との間に連結されて当該クランプ手段を付勢する付勢部材とを有するものである。
【請求項５】
請求項１または２記載の装着装置において、前記可動クランプ部材は、前記固定クランプ部材の方向に向って延出する１若しくはそれ以上の柱部を有し、前記照明装置ボディ部は、当該可動クランプ部材の柱部と一直線上にある１若しくはそれ以上の穴部を有し、この穴部は当該可動クランプ部材が前記固定クランプ部材に向って移動するとき当該可動クランプ部材の柱部を受容するものである。
【請求項６】
請求項１または２記載の装着装置において、前記照明装置ボディ部は、当該照明装置ボディ部上の前記固定クランプ部材と前記可動クランプ部材との間に位置する凹部を有しており、この照明装置ボディ部は、さらに、
前記照明装置ボディ部の凹部に着脱自在に配置されたキー部材を有し、このキー部材は
、当該照明装置ボディ部が前記固定クランプ部材および前記可動クランプ部材により取付
けレールに締着されるとき、当該取付けレールのキー形状部と係合するキー形状部を有す
るものである。
【請求項７】
請求項１または２記載の装着装置において、前記クランプ手段は、前記可動クランプ部材に対して遠位に位置し、且つ軸端部にある頭部を有するネジまたはピンを含み、前記軸部は前記固定クランプ部材を貫通して配置され、前記可動クランプ部材と係合するものである。
【請求項８】
請求項７記載の装着装置において、前記クランプ手段は、前記ネジまたはピンの頭部と前記固定クランプ部材との間に配置されるバネを含み、このバネは前記可動クランプ部材を当該固定クランプ部材の方向に付勢するものである。
【請求項９】
請求項１または２記載の装着装置において、前記固定クランプ部材および前記可動クランプ部材の１つまたは両方は細長い面取り縁端部を有し、それにより前記照明装置の前記取付けレールへのスナップ式嵌合装着およびスナップ式装着解除が容易になるものである。
【請求項１０】
取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部をキー形状部を有する前記取付けレールに装着するための当該照明装置ボディ部上の装着装置とを有し、この装着装置は、
前記照明装置上の第１および第２のクランプ部材であって、接近する方向に移動して前記取付けレールを締着し、且つ離れる方向に移動して前記取付けレールを解除することが可能であり、それにより前記取付けレールは当該第１および第２のクランプ部材の間で締着されるものである、前記第１および第２のクランプ部材と、
前記照明装置ボディ部上の前記第１および第２のクランプ部材の間に位置する凹部を有する前記照明装置ボディ部と、
前記照明装置ボディ部の凹部に着脱自在に配置され、当該照明装置ボディ部が前記第１および第２のクランプ部材により前記取付けレールに締着されるとき、当該取付けレールのキー形状部と係合するキー形状部を有するキー部材と
を有する装着装置。
【請求項１１】
請求項６または１０記載の装着装置において、前記照明装置は異なるサイズおよび形状のキー形状部を有する取付けレールに装着自在であり、前記キー部材は、当該取付けレールの前記キー形状部のサイズおよび形状と一致するサイズおよび形状のキー形状部を有する１セットのキー部材から選択されるものである。
【請求項１２】
請求項６または１０記載の装着装置において、前記照明装置ボディ部の凹部は略長方形であり、前記キー部材は当該照明装置ボディ部の凹部の所定位置に嵌合するキーボディ部と、当該キーボディ部から延出する突起部を含むキー形状部とを有するものである。
【請求項１３】
請求項１２記載の装着装置において、前記キーボディ部は、前記照明装置ボディ部を貫通する固定手段により当該照明装置ボディ部の凹部の所定位置に着脱自在に保持されているものである。
【請求項１４】
請求項１０記載の装着装置において、前記第１および第２のクランプ部材の１つまたは両方は細長い面取り縁端部を有し、それにより前記照明装置の前記取付けレールへのスナップ式嵌合装着およびスナップ式装着解除が容易になるものである。
【手続補正２】
【補正対象書類名】明細書
【補正対象項目名】０００６
【補正方法】変更
【補正の内容】
【０００６】
また、従来の多くの銃器の装着は使用者が手で行う必要があり、前記銃器に装着自在な物を装着したり取り外したりする際使用者の手または手の一部が銃口の前に置かれる可能性があり、これにより意図せずしてこの小火器から弾丸が放たれた場合に使用者は負傷する危険にさらされる。
この出願の発明に関連する先行技術文献情報としては、以下のものがある（国際出願日以降国際段階で引用された文献及び他国に国内移行した際に引用された文献を含む）。
【特許文献１】米国特許出願公開第２００４／０１６９１１９号明細書
【特許文献２】米国特許出願公開第２００３／０００７３５５号明細書
【特許文献３】米国特許出願公開第２００４／０１３２３４２号明細書
【特許文献４】米国特許第６，０７３，９０１号明細書
【特許文献５】米国特許第５，１８０，２２０号明細書
【特許文献６】米国特許出願公開第２００６／００８３００９号明細書
【特許文献７】米国特許出願公開第２００６／００８３００８号明細書
【特許文献８】米国特許第２，５９７，５６５号明細書
【特許文献９】米国特許第２，６０１，６１３号明細書
【特許文献１０】米国特許第３，１５３，８５６号明細書
【特許文献１１】米国特許第３，４８８，４８８号明細書
【特許文献１２】米国特許第３，５１３，５８１号明細書
【特許文献１３】米国特許第３，８７７，１６６号明細書
【特許文献１４】米国特許第４，５８０，３６２号明細書
【特許文献１５】米国特許第４，６９７，２２６号明細書
【特許文献１６】米国特許第４，８５６，２１８号明細書
【特許文献１７】米国特許第５，４００，５４０号明細書
【特許文献１８】米国特許第５，４３０，９６７号明細書
【特許文献１９】米国特許第５，５８４，１３７号明細書
【特許文献２０】米国特許第５，６２８，５５５号明細書
【特許文献２１】米国特許第５，８１６，６８３号明細書
【特許文献２２】米国特許第５，９１３，６６９号明細書
【特許文献２３】米国特許第６，１１５，９５２号明細書
【特許文献２４】米国特許第６，１８５，８５４号明細書
【特許文献２５】米国特許第６，２７６，０８８号明細書
【特許文献２６】米国特許第６，３７８，２３７号明細書
【特許文献２７】米国特許第６，５７４，９０１号明細書
【特許文献２８】米国特許第６，６１２，７１４号明細書
【特許文献２９】米国特許出願公開第２００４／００６８９１３号明細書
【非特許文献１】ストリームライト，インク．（ＳＴＲＥＡＭＬＩＧＨＴ，ＩＮＣ．），「製品カタログ（Ｐｒｏｄｕｃｔ  Ｃａｔａｌｏｇ）」，２００１年６月，表紙，ｐ．１，８−１１，２８−２９，３２−３３，裏表紙
【非特許文献２】ストリームライト，インク．（ＳＴＲＥＡＭＬＩＧＨＴ，ＩＮＣ．），「Ｍ２ユニバーサル・タクティカル・ライト（Ｍ２  Ｕｎｉｖｅｒｓａｌ  Ｔａｃｔｉｃａｌ  Ｌｉｇｈｔ）」，製品パッケージ（Ｐｒｏｄｕｃｔ  Ｐａｃｋａｇｅ），日付不明，全１頁
【非特許文献３】ストリームライト，インク．（ＳＴＲＥＡＭＬＩＧＨＴ，ＩＮＣ．），「Ｍ２ユニバーサル・タクティカル・ライト（Ｍ２  Ｕｎｉｖｅｒｓａｌ  Ｔａｃｔｉｃａｌ  Ｌｉｇｈｔ）」，操作マニュアル（Ｏｐｅｒａｔｏｒ‘ｓ  Ｍａｎｕａｌ），２００３年１０月，全２頁
【非特許文献４】ストリームライト，インク．（ＳＴＲＥＡＭＬＩＧＨＴ，ＩＮＣ．），「Ｍ−３  ＬＥＤ  タクティカル・ナビゲーション・ライト（Ｍ−３  ＬＥＤ  Ｔａｃｔｉｃａｌ  Ｎａｖｉｇａｔｉｏｎ  Ｌｉｇｈｔ）」，米国ペンシルバニア州イーグルビル（Ｅａｇｌｅｖｉｌｌｅ，ＰＡ），２００２年，全２頁
【非特許文献５】ストリームライト，インク．（ＳＴＲＥＡＭＬＩＧＨＴ，ＩＮＣ．），「Ｍ−６タクティカル・レーザー・イルミネーター（Ｍ−６  Ｔａｃｔｉｃａｌ  Ｌａｓｅｒ  Ｉｌｌｕｍｉｎａｔｏｒ）」，米国ペンシルバニア州イーグルビル（Ｅａｇｌｅｖｉｌｌｅ，ＰＡ），２００３年，全２頁
【非特許文献６】ストリームライト，インク．（ＳＴＲＥＡＭＬＩＧＨＴ，ＩＮＣ．），「新商品ＭＩＬ−ＳＰＥＣ  Ｘシリーズの販売：信頼性のあるタクティカル・ライトの極限に近づく（Ｉｎｔｒｏｄｕｃｉｎｇ  Ｔｈｅ  Ａｌｌ−Ｎｅｗ  ＭＩＬ−ＳＰＥＣ  Ｘ−Ｓｅｒｉｅｓ−−Ｔｒｕｓｔｅｄ  Ｔａｃｔｉｃａｌ  Ｌｉｇｈｔｓ  Ｔａｋｅｎ  Ｔｏ  Ｔｈｅ  Ｘ−ｔｒｅｍｅ）」，米国ペンシルバニア州イーグルビル（Ｅａｇｌｅｖｉｌｌｅ，ＰＡ），２００３年１０月，全２頁
【非特許文献７】ストリームライト，インク．（ＳＴＲＥＡＭＬＩＧＨＴ，ＩＮＣ．），「Ｌ．Ａ．Ｍ．レーザー照準モジュール（Ｌ．Ａ．Ｍ．  Ｌａｓｅｒ  Ａｉｍｉｎｇ  Ｍｏｄｕｌｅ）」，米国ペンシルバニア州イーグルビル（Ｅａｇｌｅｖｉｌｌｅ，ＰＡ），２０００年，全１頁
【非特許文献８】ストリームライト，インク．（ＳＴＲＥＡＭＬＩＧＨＴ，ＩＮＣ．），「タクティカル・シリーズ仕様（Ｔａｃｔｉｃａｌ  Ｓｅｒｉｅｓ  Ｓｐｅｃｉｆｉｃａｔｉｏｎｓ）」，全３頁，［ｏｎｌｉｎｅ］，２００４年１０月２８日印刷，インターネット<ｈｔｔｐ：／／ｗｗｗ．ｓｔｒｅａｍｌｉｇｈｔ．ｃｏｍ／ｔａｃｔｉｃａｌ＿ｓｐｅｃｉｆｉｃａｔｉｏｎｓ．ｈｔｍ>
【非特許文献９】ストリームライト，インク．（ＳＴＲＥＡＭＬＩＧＨＴ，ＩＮＣ．），「タクティカル・シリーズの部品および付属品（Ｔａｃｔｉｃａｌ  Ｓｅｒｉｅｓ  Ｐａｒｔｓ  &  Ａｃｃｅｓｓｏｒｉｅｓ）」，全２頁，［ｏｎｌｉｎｅ］，２００４年１０月２８日印刷，インターネット<ｈｔｔｐ：／／ｗｗｗ．ｓｔｒｅａｍｌｉｇｈｔ．ｃｏｍ／ｔａｃｔｉｃａｌ＿ａｃｃｅｓｓｏｒｉｅｓ．ｈｔｍ>
【非特許文献１０】ストリームライト，インク．（ＳＴＲＥＡＭＬＩＧＨＴ，ＩＮＣ．），「ストリームライトＭ−３  ＬＥＤ，ストリームライトプロダクト（Ｓｔｒｅａｍｌｉｇｈｔ  Ｍ−３  ＬＥＤ，Ｓｔｒｅａｍｌｉｇｈｔ  Ｐｒｏｄｕｃｔｓ）」，全１頁，［ｏｎｌｉｎｅ］，２００４年１０月２８日印刷，インターネット<ｈｔｔｐ：／／ｗｗｗ．ｓｔｒｅａｍｌｉｇｈｔ．ｃｏｍ／ｍ３ｌｅｄ＿ｓｐｅｃｓ．ｈｔｍ>
【非特許文献１１】ストリームライト，インク．（ＳＴＲＥＡＭＬＩＧＨＴ，ＩＮＣ．），［ストリームライト  Ｍ−６，Ｍ−６  タクティカル・レーザー・イルミネーション仕様（Ｓｔｒｅａｍｌｉｇｈｔ  Ｍ−６，Ｍ−６  Ｔａｃｔｉｃａｌ  Ｌａｓｅｒ  Ｉｌｌｕｍｉｎａｔｏｒ  Ｓｐｅｃｉｆｉｃａｔｉｏｎｓ）」，全１頁，［ｏｎｌｉｎｅ］，２００４年１０月２８日印刷，インターネット<ｈｔｔｐ；・／／ｗｗｗ．Ｓｔｒｅａｍｌｉｇｈｔ．ｃｏｍ／ｍ６＿Ｓｐｅｃｉｆｉｃａｔｉｏｎｓ．ｈｔｍ>
【非特許文献１２】ストリームライト，インク．（ＳＴＲＥＡＭＬＩＧＨＴ，ＩＮＣ．），「ストリームライトレーザー照準モジュール（Ｌ．Ａ．Ｍ．）（Ｓｔｒｅａｍｌｉｇｈｔ  Ｌａｓｅｒ  Ａｉｍｉｎｇ  Ｍｏｄｕｌｅ（Ｌ．Ａ．Ｍ．））」，ストリームライトプロダクト（Ｓｔｒｅａｍｌｉｇｈｔ  Ｐｒｏｄｕｃｔｓ），全２頁，［ｏｎｌｉｎｅ］，２００４年１０月２８日印刷，インターネット<ｈｔｔｐ：／／ｗｗｗ．ｓｔｒｅａｍｌｉｇｈｔ．ｃｏｍ／ｌａｍ＿ｓｐｅｃｓ．ｈｔｍ>
【非特許文献１３】ストリームライト，インク．（ＳＴＲＥＡＭＬＩＧＨＴ，ＩＮＣ．），「Ｘシリーズ仕様（Ｘ−Ｓｅｒｉｅｓ  Ｓｐｅｃｉｆｉｃａｔｉｏｎｓ）」，全２頁，［ｏｎｌｉｎｅ］，２００４年１０月２８日印刷，インターネット<ｈｔｔｐ：／／ｗｗｗ．ｓｔｒｅａｍｌｉｇｈｔ．ｃｏｍ／ｘ−ｓｅｒｉｅｓ＿ｓｐｅｃｓ．ｈｔｍ>
【非特許文献１４】ファーストサムコ（Ｆｉｒｓｔ  Ｓａｍｃｏ），「タクティカル・ライト・ホルダー、ＡＲ１５およびＭ／１６用ファーストサムコ・タクティカル付属品（Ｔａｃｔｉｃａｌ  Ｌｉｇｈｔ  Ｈｏｌｄｅｒ，Ｆｉｒｓｔ  Ｓａｍｃｏ  Ｔａｃｔｉｃａｌ  Ａｃｃｅｓｓｏｒｉｅｓ  Ｆｏｒ  ＡＲ１５&Ｍ／１６）」，全１頁，［ｏｎｌｉｎｅ］，２００４年１１月４日印刷，インターネット<ｈｔｔｐ：／／ｗｗｗ．ｆｉｒｓｔｓａｍｃｏ．ｃｏｍ／ｃａｔａｌｏｇ／ｐｒｏｄｕｃｔｄｅｔａｉｌ．ｐｈｐ？ＩＤ＝４>
【非特許文献１５】ファーストサムコ（Ｆｉｒｓｔ  Ｓａｍｃｏ），「タクティカル・ライト・ホルダーの画像、ＡＲ１５およびＭ／１６用ファーストサムコ・タクティカル付属品（Ｉｍａｇｅｓ  ｆｏｒ  Ｔａｃｔｉｃａｌ  Ｌｉｇｈｔ  Ｈｏｌｄｅｒ，Ｆｉｒｓｔ  Ｓａｍｃｏ  Ｔａｃｔｉｃａｌ  Ａｃｃｅｓｏｒｉｅｓ  Ｆｏｒ  ＡＲ１５&Ｍ／１６）」，全１頁，［ｏｎｌｉｎｅ］，２００４年１１月４日印刷，インターネット<ｈｔｔｐ：／／ｗｗｗ．ｆｉｒｓｔｓａｍｃｏ．ｃｏｍ／ｃａｔａｌｏｇ／ｍｏｒｅｉｍａｇｅｓ．ｐｈｐ？ＩＤ＝４>
【非特許文献１６】インサイト・テクノロジー・インク．（ＩＮＳＩＧＨＴ  ＴＥＣＨＮＯＬＯＧＹ，ＩＮＣ．），「Ｍ２  ＵＴＬユニバーサル・タクティカル・ライト（写真付）、（著作権）２００４年（Ｍ２  ＵＴＬ  Ｕｎｉｖｅｒｓａｌ  Ｔａｃｔｉｃａｌ  Ｌｉｇｈｔ（ｗｉｔｈ  Ｐｈｏｔｏｓ，(c)２００４）」，全４頁，［ｏｎｌｉｎｅ］，２００５年１１月８日印刷，インターネット<ｈｔｔｐ；・／／ｗｗｗ．ｉｎｓｉｇｈｔｌｉｇｈｔｓ．ｃｏｍ／ｐｒｏｄｕｃｔｓ／ｓｈｏｗＰｒｏｄｕｃｔ．ａｓｐ？ｉｄ＝１>
【非特許文献１７】インサイト・テクノロジー・インク．（ＩＮＳＩＧＨＴ  ＴＥＣＨＮＯＬＯＧＹ，ＩＮＣ．），「Ｍ３Ｘタクティカル・イルミネーター、（著作権）２００４年（Ｍ３Ｘ  Ｔａｃｔｉｃａｌ  Ｉｌｌｕｍｉｎａｔｏｒ，(c)２００４）」，全２頁，［ｏｎｌｉｎｅ］，２００４年１０月２８日印刷，インターネット<ｈｔｔｐ：／／ｗｗｗ．ｉｎｓｉｇｈｔｌｉｇｈｔｓ．ｃｏｍ／ｐｒｏｄｕｃｔｓ／ｓｈｏｗＰｒｏｄｕｃｔ．ａｓｐ？ｉｄ＝６>
【非特許文献１８】インサイト・テクノロジー・インク．（ＩＮＳＩＧＨＴ  ＴＥＣＨＮＯＬＯＧＹ，ＩＮＣ．），「Ｍ６タクティカル・イルミネーター（写真付）、（著作権）２００４年（Ｍ６  Ｔａｃｔｉｃａｌ  Ｉｌｌｕｍｉｎａｔｏｒ（ｗｉｔｈ  Ｐｈｏｔｏｓ），(c)２００４）」，全４頁，［ｏｎｌｉｎｅ］，２００４年１０月２８日印刷，インターネット<ｈｔｔｐ：／／ｗｗｗ．ｉｎｓｉｇｈｔｌｉｇｈｔｓ．ｃｏｍ／ｐｒｏｄｕｃｔｓ／ｓｈｏｗＰｒｏｄｕｃｔ．ａｓｐ？ｉｄ＝９>
【非特許文献１９】インサイト・テクノロジー・インク．（ＩＮＳＩＧＨＴ  ＴＥＣＨＮＯＬＯＧＹ，ＩＮＣ．），「Ｍ６Ｘタクティカル・イルミネーター（写真付）、（著作権）２００４年（Ｍ６Ｘ  Ｔａｃｔｉｃａｌ  Ｉｌｌｕｍｉｎａｔｏｒ（ｗｉｔｈ  Ｐｈｏｔｏｓ），(c)２００４）」，全６頁，［ｏｎｌｉｎｅ］，２００４年１０月２８日印刷，インターネット<ｈｔｔｐ：／／ｗｗｗ．ｉｎｓｉｇｈｔｌｉｇｈｔｓ．ｃｏｍ／ｐｒｏｄｕｃｔｓ／ｓｈｏｗＰｒｏｄｕｃｔ．ａｓｐ？ｉｄ＝１１>
【非特許文献２０】インサイト・テクノロジー・インク．（ＩＮＳＩＧＨＴ  ＴＥＣＨＮＯＬＯＧＹ，ＩＮＣ．），「ＸＭＬ超小型ライト、（著作権）２００４年（ＸＭＬ  Ｘ−ｔｒｅｍｅ  Ｍｉｎｉ  Ｌｉｇｈｔ，(c)２００４）」，全１頁，［ｏｎｌｉｎｅ］，２００４年１０月２８日印刷，インターネット<ｈｔｔｐ：／／ｗｗｗ．ｉｎｓｉｇｈｔｌｉｇｈｔｓ．ｃｏｍ／ｐｒｏｄｕｃｔｓ／ｓｈｏｗＰｒｏｃｕｃｔ．ａｓｐ？ｉｄ＝２>
【非特許文献２１】シュアファイヤー（ＳＵＲＥＦＩＲＥ），「レーザー照準器、シュアファイヤー提供の火器取付用レーザー照準器、（著作権）２００１−２００４年（Ｌａｓｅｒ  Ｓｉｇｈｔｓ，Ｗｅａｐｏｎ  ｍｏｕｎｔｅｄ  ｌａｓｅｒ  ｓｉｇｈｓ  ｆｒｏｍ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｐｇｒｆｎｂｒ／３６４／ｓｅｓｅｎｔ／００>
【非特許文献２２】シュアファイヤー（ＳＵＲＥＦＩＲＥ），「火器用ライト、ハンドガン、ショットガン、およびライフルを含む火器用ライト、（著作権）２００１−２００４年（Ｗｅａｐｏｎ  Ｌｉｇｈｔｓ，Ｌｉｇｈｔｓ  ｆｏｒ  ｗｅａｐｏｎｓ  ｉｎｃｌｕｄｉｎｇ  ｈａｎｄｇｕｎｓ，  ｓｈｏｔｇｕｎｓ，  ａｎｄ  ｒｅｆｌｅｓ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｐｇｒｆｎｂｒ／２１１／ｓｅｓｅｎｔ／００>
【非特許文献２３】シュアファイヤー（ＳＵＲＥＦＩＲＥ），「ハンドガン火器用ライト、シュアファイヤー提供のハンドガン・タクティカル火器用ライト、（著作権）２００１−２００４年（Ｈａｎｄｇｕｎ  Ｗｅａｐｏｎ  Ｌｉｇｈｔｓ，Ｈａｎｄｇｕｎ  Ｔａｃｔｉｃａｌ  ＷｅａｐｏｎＬｉｇｈｔｓ  ｐｒｏｖｉｄｅｄ  ｂｙ  ＳｕｒｅＦｉｒｅ，(c)２００１−２００４）」，全２頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／９１／ｓｅｓｅｎｔ／００>
【非特許文献２４】シュアファイヤー（ＳＵＲＥＦＩＲＥ），「製品、Ｘ２００火器用ライト、―Ｘ２００（シュアファイヤーから入手可能）、（著作権）２００１−２００４年（Ｐｒｏｄｕｃｔｓ，Ｘ２００  ＷｅａｐｏｎＬｉｇｈｔ――Ｘ２００  ａｖａｉｌａｂｌｅ  ｆｒｏｍ  ＳｕｒｅＦｉｒｅ，(c)２００１−２００４）」，全２頁，［ｏｎｌｉｎｅ］，２００４年１０月２８日印刷，インターネット<ｈｔｔｐ；／／ｗｗｗ．ｓｕｒｅｆｉｒｅ．ｃｏｍ／ｍａｘｅｘｐ／ｍａｉｎ．ｐｌ？ｐｇｍ−ｃｏ＿ｄｉｓｐ&ｆｕｎｃ−ｄｉｓｐｌ&ｓｔｒｆｎｂｒ＝６&ｐｒｒｆｎｂｒ＝１１１０&．．．，>
【非特許文献２５】シュアファイヤー（ＳＵＲＥＦＩＲＥ），「シュアファイヤー提供の一体型ショットガン火器用ライト，シュアファイヤー提供のショットガン火器用ライト、（著作権）２００１−２００４年（ＳｕｒｅＦｉｒｅ  Ｉｎｔｅｇｒａｔｅｄ  Ｓｈｏｔｇｕｎ  Ｗｅａｐｏｎ  Ｌｉｇｈｔｓ，Ｓｈｏｔｇｕｎ  Ｗｅａｐｏｎ  Ｌｉｇｈｔｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／９２／ｓｅｓｅｎｔ／００>
【非特許文献２６】シュアファイヤー（ＳＵＲＥＦＩＲＥ），「ライフル、カービン銃およびＳＭＧライトシステム、シュアファイヤー提供のライフル、カービン銃およびＳＭＧ火器用ライトシステム、（著作権）２００１−２００４年（Ｒｉｆｌｅ，Ｃａｒｂｉｎ  &  ＳＭＧ  Ｌｉｇｈｔ  Ｓｙｓｔｅｍｓ，Ｒｉｆｌｅ，Ｃａｒｂｉｎ  &  ＳＭＧ  ＷｅａｐｏｎＬｉｇｈｔｓ  Ｓｙｓｔｅｍｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／９３／ｓｅｓｅｎｔ／００>
【非特許文献２７】シュアファイヤー（ＳＵＲＥＦＩＲＥ），「ライフル、カービン銃およびＳＭＧライトシステム、シュアファイヤー提供のミレニアムハンドガード、（著作権）２００１−２００４年（Ｒｉｆｌｅ，Ｃａｒｂｉｎｅ  &  ＳＭＧ  Ｌｉｇｈｔ  Ｓｙｓｔｅｍｓ，Ｍｉｌｌｅｎｎｉｕｍ  Ｆｏｒｅｎｄｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／２６５／ｓｅｓｅｎｔ／００>
【非特許文献２８】シュアファイヤー（ＳＵＲＥＦＩＲＥ），「ライフル、カービン銃およびＳＭＧライトシステム、シュアファイヤー提供のミレニアム・ユニバーサル火器用ライト、（著作権）２００１−２００４年（Ｒｉｆｌｅ，Ｃａｒｂｉｎｅ  &  ＳＭＧ  Ｌｉｇｈｔ  Ｓｙｓｔｅｍｓ、Ｍｉｌｌｅｎｎｉｕｍ  Ｕｎｉｖｅｒｓａｌ  ＷｅａｐｏｎＬｉｇｈｔｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／２６７／ｓｅｓｅｎｔ／００>
【非特許文献２９】シュアファイヤー（ＳＵＲＥＦＩＲＥ），「ライフル、カービン銃およびＳＭＧライトシステム、シュアファイヤー提供のミレニアム前部垂直グリップ、（著作権）２００１−２００４年（Ｒｉｆｌｅ，Ｃａｒｂｉｎｅ  &  ＳＭＧ  Ｌｉｇｈｔ  Ｓｙｓｔｅｍｓ，Ｍｉｌｌｅｎｎｉｕｍ  Ｖｅｒｔｉｃａｌ  Ｆｏｒｅｇｒｉｐ  Ｓｙｓｔｅｍ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／２６６／ｓｅｓｅｎｔ／００>
【非特許文献３０】シュアファイヤー（ＳＵＲＥＦＩＲＥ），「ライフル、カービン銃およびＳＭＧライトシステム、シュアファイヤー提供の火器用ライトのクラッシックシリーズ、（著作権）２００１−２００４年（Ｒｉｆｌｅ，Ｃａｒｂｉｎｅ  &ＳＭＧ  Ｌｉｇｈｔ  Ｓｙｓｔｅｍｓ，Ｃｌａｓｓｉｃ  Ｓｅｒｉｅｓ  ＷｅａｐｏｎＬｉｇｈｔｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／２７１／ｓｅｓｅｎｔ／００>
【非特許文献３１】シュアファイヤー（ＳＵＲＥＦＩＲＥ），「火器装着装置、シュアファイヤー火器装着装置、（著作権）２００１−２００４年（Ｗｅａｐｏｎ  Ｍｏｕｎｔｓ，ＳｕｒｅＦｉｒｅ  Ｗｅａｐｏｎ  Ｍｏｕｎｔｓ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｐｇｒｆｎｂｒ／３７８／ｓｅｓｅｂｔ／００>
【非特許文献３２】シュアファイヤー（ＳＵＲＥＦＩＲＥ），「製品：火器装着装置、シュアファイヤー提供のピカティニー・ハンドガード、（著作権）２００１−２００４年（Ｐｒｏｄｕｃｔｓ  Ｗｅａｐｏｎ  Ｍｏｕｎｔｓ，Ｐｉｃａｔｉｎｎｙ  ｆｏｒｅｎｄｓ  ｐｒｏｖｉｄｅｄ  ｂｙ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｃａｒｆｎｂｒ／３１２／ｓｅｓｅｎｔ／００>
【非特許文献３３】シュアファイヤー（ＳＵＲＥＦＩＲＥ），「製品：火器装着装置、Ｓ．Ｉ．Ｒ．システムＣ（選択的一体型レール）−Ｍ６１（シュアファイヤーから入手可能）、（著作権）２００１−２００４年（Ｐｒｏｄｕｃｔｓ  Ｗｅａｐｏｎ  Ｍｏｕｎｔｓ，Ｓ．Ｉ．Ｒ．  Ｓｙｓｔｅｍ  Ｃ  （Ｓｅｌｅｃｔｉｖｅ  Ｉｎｔｅｇｒａｔｅｄ  Ｒａｉｌ）−Ｍ６１  ａｖａｉｌａｂｌｅ  ｆｒｏｍ  ＳｕｒｅＦｉｒｅ，(c)２００１−２００４）」，全１頁，［ｏｎｌｉｎｅ］，２００４年１０月２８日印刷，インターネット<ｈｔｔｐ：／／ｗｗｗ．ｓｕｒｅｆｉｒｅ．ｃｏｍ／ｍａｘｅｘｐ／ｍａｉｎ／ｃｏ＿ｄｉｓｐ／ｄｉｓｐｌ／ｐｒｒｆｎｂｒ／８２４／ｓｅｓｅｎｔ／００>
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
銃器取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部を前記銃器取付けレールに装着するための当該照明装置ボディ部上の装着装置とを有し、この装着装置は、
前記照明装置ボディ部上の固定クランプ部材と、
前記固定クランプ部材と対向し且つ実質的に平行であり、さらに当該固定クランプ部材に近づく方向および当該固定クランプ部材から離れる方向に移動自在である可動クランプ部材と、
クランプ手段であって、前記可動クランプ部材および前記固定クランプ部材を連結することにより、当該可動クランプ部材を付勢して当該固定クランプ部材の方向に移動させ、且つ押圧解除自在および押圧自在になっていることにより、当該可動クランプ部材を当該固定クランプ部材に近づく方向および当該固定クランプ部材から離れる方向に移動させるものである、クランプ手段とを有し、
前記装着装置により、前記銃器取付けレールは前記固定クランプ部材と前記可動クランプ部材との間に締着されるものである
装着装置。
【請求項２】
請求項１記載の装着装置において、前記固定クランプ部材は前記照明装置ボディ部上で長手方向に配置された長部材を有し、前記可動クランプ部材は前記照明装置ボディ部に近接して長手方向に配置された長部材を有しており、この長部材は当該固定クランプ部材に対向し、且つ当該固定クランプ部材から間隔を置いて配置されているものである装着装置。
【請求項３】
請求項１または２記載の装着装置において、前記固定クランプ部材は貫通穴部を有し、前記可動クランプ部材は前記固定クランプ部材の貫通穴部と実質的に一直線上にあるネジ穴を有しており、前記クランプ手段は当該固定クランプ部材の貫通穴部内に配置され、当該可動クランプ部材のネジ穴と係合するネジ込み式端部を有する軸部と、当該固定クランプ部材と前記軸部のネジ込み式端部の反対側の端部との間にあり当該クランプ手段を付勢する付勢部材とを有するものである装着装置。
【請求項４】
請求項１または２記載の装着装置において、前記固定クランプ部材は貫通穴部を有し、前記クランプ手段は、当該固定クランプ部材の貫通穴部内に配置され、前記可動クランプ部材と係合する軸部と、当該固定クランプ部材と当該軸部との間に連結されて当該クランプ部材を付勢する付勢部材とを有するものである装着装置。
【請求項５】
請求項１または２記載の装着装置において、前記可動クランプ部材は、前記固定クランプ部材の方向に向って延出する１若しくはそれ以上の柱部を有し、前記照明装置ボディ部は、当該可動クランプ部材の柱部と一直線上にある１若しくはそれ以上の穴部を有し、この穴部は当該可動クランプ部材が前記固定クランプ部材に向って移動するとき当該可動クランプ部材の柱部を受容するものである装着装置。
【請求項６】
請求項１または２記載の装着装置において、前記照明装置ボディ部は、当該照明装置ボディ部上の前記固定クランプ部材と前記可動クランプ部材との間に位置する凹部を有しており、この照明装置ボディ部は、さらに、
前記照明装置ボディ部の凹部に着脱自在に配置されたキー部材を有し、このキー部材は、当該照明装置ボディ部が前記固定クランプ部材および前記可動クランプ部材により銃器取付けレールに締着されるとき、当該銃器取付けレールのキー形状部と係合するキー形状部を有するものである装着装置。
【請求項７】
請求項１または２記載の装着装置において、前記クランプ手段は、前記可動クランプ部材に対して遠位に位置し、且つ軸端部にある頭部を有するネジまたはピンを含み、前記軸部は前記固定クランプ部材を貫通して配置され、前記可動クランプ部材と係合するものである装着装置。
【請求項８】
請求項７記載の装着装置において、前記クランプ手段は、前記ネジまたはピンの頭部と前記固定クランプ部材との間に配置されるバネを含み、このバネは前記可動クランプ部材を当該固定クランプ部材の方向に付勢するものである装着装置。
【請求項９】
請求項１または２記載の装着装置において、前記固定クランプ部材および前記可動クランプ部材の１つまたは両方は細長い面取り縁端部を有し、それにより前記照明装置の前記銃器取付けレールへのスナップ式嵌合装着およびスナップ式装着解除が容易になるものである装着装置。
【請求項１０】
銃器取付けレールに装着自在な照明装置のための装着装置であって、
光源と、電気エネルギー源と、前記光源および回路内の前記電気エネルギー源を選択的に接続させて光を発生させるスイッチとを含む照明装置ボディ部と、
前記照明装置ボディ部をキー形状部を有する前記銃器取付けレールに装着するための当該照明装置ボディ部上の装着装置とを有し、この装着装置は、
前記照明装置上の第１および第２のクランプ部材であって、接近する方向に移動して前記銃器取付けレールを締着し、且つ離れる方向に移動して前記銃器取付けレールを解除することが可能であり、それにより前記銃器取付けレールは当該第１および第２のクランプ部材の間で締着されるものである、前記第１および第２のクランプ部材と、
前記照明装置ボディ部上の前記第１および第２のクランプ部材の間に位置する凹部を有する前記照明装置ボディ部と、
前記照明装置ボディ部の凹部に着脱自在に配置され、当該照明装置ボディ部が前記第１および第２のクランプ部材により前記銃器取付けレールに締着されるとき、当該銃器取付けレールのキー形状部と係合するキー形状部を有するキー部材と
を有する装着装置。
【請求項１１】
請求項６または１０記載の装着装置において、前記照明装置は異なるサイズおよび形状のキー形状部を有する銃器取付けレールに装着自在であり、前記キー部材は、当該銃器取付けレールの前記キー形状部のサイズおよび形状と一致するサイズおよび形状のキー形状部を有する１セットのキー部材から選択されるものである装着装置。
【請求項１２】
請求項６または１０記載の装着装置において、前記照明装置ボディ部の凹部は略長方形であり、前記キー部材は当該照明装置ボディ部の凹部の所定位置に嵌合するキーボディ部と、当該キーボディ部から延出する突起部を含むキー形状部とを有するものである装着装置。
【請求項１３】
請求項１２記載の装着装置において、前記キーボディ部は、前記照明装置ボディ部を貫通する固定手段により当該照明装置ボディ部の凹部の所定位置に着脱自在に保持されているものである装着装置。
【請求項１４】
請求項１０記載の装着装置において、前記第１および第２のクランプ部材の１つまたは両方は細長い面取り縁端部を有し、それにより前記照明装置の前記銃器取付けレールへのスナップ式嵌合装着およびスナップ式装着解除が容易になるものである装着装置。
【国際調査報告】
2008521171.tif 000015